(57)【要約】前面筐体部（１１）と、キーボード（１２）などが配置された背面筐体部（１３）とを備えたノートパソコン本体（１０）の背面部（１５）に略球面形状の凸部（１９）を設け、さらに凸部（１９）を覆うように貫通部（１８）を有するハンドストラップ（１６）を備えて、片手でノートパソコン本体（１０）の保持を確実に行う。
2009101800.tif 000002
【特許請求の範囲】
【請求項１】
背面筐体部と、前記背面筐体部と対向する前面筐体部と、前記背面筐体部の背面部に外部に突出して設けた凸部と、前記凸部を覆うように前記背面筐体部に固定したベルトとを備えたことを特徴とする情報処理装置。
【請求項２】
前記前面筐体部に、視認情報を表示する表示部と、前記視認情報を制御する制御ボタンとを配置した請求項１記載の情報処理装置。
【請求項３】
前記ベルトは前記凸部の頂部と対向する位置に貫通部を備える請求項１に記載の情報処理装置。
【請求項４】
前記凸部が球面形状であることを特徴とする請求項１に記載の情報処理装置。
【請求項５】
前記背面部が、矩形形状の低面部と、前記低面部に連設する高面部と、前記低面部および前記高面部の境界の段差部とを備え、
前記凸部は前記高面部に配置され、前記凸部の裾の一部が前記段差部を横断し前記低面部の方向に突出した構成を備える請求項１から請求項４のいずれか一項に記載の情報処理装置。
【発明の詳細な説明】
【技術分野】
【０００１】
本発明は、ノートパソコンのような携帯型の情報処理装置に関し、特に、情報処理装置を手で指示することで携帯性を向上させるベルト（吊り紐、ハンドストラップ等とも称され、以下総称してハンドストラップと呼ぶ）を備えた情報処理装置に関するものである。
【背景技術】
【０００２】
近年、パーソナルコンピュータでもノートパソコンのような携帯性に優れた情報処理装置が普及し、より携帯性を向上するためにハンドストラップを装着した携帯型のノートパソコンなどが市販されている。【０００３】
ノートパソコンはコンピュータ本体と入力装置としてのキーボードなどが収納された背面筐体部と、平面ディスプレイなどが収納された前面筐体部とをヒンジ部で結合し、前面筐体部を折り畳んで全体としてノート型としたものが一般的である。【０００４】
近年は、これらのノートパソコンの軽量化、小型化が進展し、使用者がノートパソコンを携帯しながら立ったまま操作する場面が多くなっている。このような場合には、ノートパソコンの筐体部の端部を片手で保持しながら、もう一方の片手でキーボードなどを操作することになる。しかしながら、この構成ではノートパソコンを保持する片手に負担が掛かると共に、キーボードなどの操作を行う際にノートパソコンの保持が不安定なため入力操作をし難かった。【０００５】
この課題は、ノートパソコンを片手でしっかり保持することで解決でき、背面筐体部の背面部にハンドストラップを設け、そのハンドストラップに片手を差し込んで保持を確実に行う例が開示されている（例えば、特許文献１、２参照）。【０００６】
しかしながら、上記の特許文献１または特許文献２に記載の従来の構成では、ハンドストラップはその両端部をノートパソコンの背面筐体部に固定した単なる帯状のベルトであり、ノートパソコンを保持するための手の甲とハンドストラップとの接触面積が小さい。そのために、挿入した手によってノートパソコンをしっかりと保持することができずに、ノートパソコンが揺動したり滑り落ちたりする。また、キーボードのキーを押圧した場合にも不安定に揺動してキー入力が不確実になり易いといった課題を有していた。【０００７】
また、片手でノートパソコンを保持し、他方の片手でノートパソコンのキーボードなどを操作する場合などには、キーボードへの入力操作やディスプレイの視認性から、保持する片手に対してノートパソコンを傾斜した状態で保持できる状態とすることが望ましい。しかしながら、特許文献１または特許文献２に記載の従来のハンドストラップの構成では、ノートパソコンに対して傾斜した状態で保持すると、ノートパソコンの保持が不安定になるといった課題を有していた。
【特許文献１】特開２０００−１０５６３０号公報
【特許文献２】特開２００７−１０２５３２号公報
【発明の開示】
【０００８】
本発明の情報処理装置は、背面筐体部と、背面筐体部と対向する前面筐体部と、背面筐体部の背面部に外部に突出して設けた凸部と、凸部を覆うように背面筐体部に固定したベルトとを備えている。
【０００９】
このような構成により、片手を背面筐体部とベルトの間に挿入すると、挿入した片手のひらが凸部に沿うことで、ベルトの押圧力で挿入した片手は疲労感なく背面筐体部を固定することができ、ノートパソコンの保持を確実に行うことができる。
【図面の簡単な説明】
【００１０】
【図１Ａ】図１Ａは本発明の実施の形態１における情報処理装置であるノートパソコンを下方の背面側から見た斜視図である。
【図１Ｂ】図１Ｂは図１Ａの背面筐体部１３の長手方向に平行な線であるＡ−Ａ線断面図である。
【図２】図２は本発明の実施の形態１における情報処理装置であるノートパソコンを片手で保持した状態を示す斜視図である。
【図３Ａ】図３Ａは本発明の実施の形態２における情報処理装置のノートパソコンを片手で保持した状態を示す斜視図である。
【図３Ｂ】図３Ｂは図３Ａの背面筐体部の長手方向に平行な線であるＢ−Ｂ線断面図である。
【図４】図４は本発明の実施の形態３における情報処理装置を前面側から見た斜視図である。
【図５】図５は同情報処理装置を背面側から見た斜視図である。
【図６】図６は図５のＣ−Ｃ線断面図である。
【図７】図７は同情報処理装置の他の例を示す斜視図である。
【図８】図８は本発明の実施の形態４における情報処理装置を前面側から見た斜視図である。
【図９】図９は同情報処理装置の他の例を示す斜視図である。
【符号の説明】
【００１１】
１０，１０１    ノートパソコン本体
１１，５１，８１    前面筐体部
１２，８４    キーボード
１３，５２，８２    背面筐体部
１４    ヒンジ部
１５    背面部
１６，３０，６２    ベルト（ハンドストラップ）
１６ａ，１６ｂ，１６ｃ，３０ａ，３０ｂ，６２ａ，６２ｂ    固定端
１６ｄ，３０ｃ，６２ｃ    摺動部
１７ａ，１７ｂ，１７ｃ，３２ａ，３２ｂ，６３ａ，６３ｂ    固定部
１８，３１，６１    貫通部
１９，６０    凸部
１９ａ，６０ａ    頂部
２０    固定部位置調整部
２１    片手
２２    第３関節部
５０，５０１    ＮＡＶＩ
５３，８３    ディスプレイ部
５５，８５    操作ボタン
５６    低面部
５７    高面部
５８    段差部
５９，８９    蓋部
６４，８６    把手
６５，８７    空間部
６６，８８    握り部
８０，８０１    ＰＤＡ
【発明を実施するための最良の形態】
【００１２】
以下、本発明の実施の形態について、図面を参照しながら説明する。【００１３】
（実施の形態１）
図１Ａは本発明の実施の形態１における情報処理装置であるノートパソコンを下方の背面側から見た斜視図であり、図１Ｂは図１Ａの背面筐体部１３の長手方向に平行な線であるＡ−Ａ線断面図である。ノートパソコン本体１０は表示部である液晶ディスプレイ（不図示）などのディスプレイ装置が配置された前面筐体部１１と、前面筐体部１１に対向しキーボード１２などの入力装置が配置されＣＰＵやＨＤＤなどを内蔵した背面筐体部１３とにより構成されている。背面筐体部１３と前面筐体部１１とはヒンジ部１４によって折り畳み可能に構成される。図１Ａは前面筐体部１１を、前面筐体部１１に配置されたディスプレイ装置が視認可能なように開いた状態を示している。【００１４】
一方、背面筐体部１３の背面部１５にはノートパソコン本体１０を支持するベルト（以下、ハンドストラップと呼ぶ）１６が設けられている。ハンドストラップ１６は固定部１７ａ、１７ｂ、１７ｃの３点で背面筐体部１３と固定された略Ｔ字形状のベルトであり、その略中央部に略円形の貫通部１８を設けた構成としている。ここで、略Ｔ字形状とは、ヒンジ部１４に平行で固定部１７ａと固定部１７ｂとを結ぶ線分に垂直な位置に、固定部１７ｃが設けられて構成されている状態を示している。【００１５】
また、図１Ｂに示すように、背面部１５には略球面形状の凸部１９が設けられ、ハンドストラップ１６の貫通部１８が、その凸部１９の頂部１９ａの位置に対応して設けられている。なお、ハンドストラップ１６は、伸縮自在な硬質ゴムや、ポリブチレンテレフタレートやエラストマー性を有する素材などの弾性を備える樹脂などの素材によって構成されている。さらに、使用者の手の大きさや配置に対応でき、ハンドストラップ１６の固定部１７ａ、１７ｂ、１７ｃの位置を可変したり、ハンドストラップ１６を取り外したりすることができるように、固定部位置調整部２０が設けられている。また、固定部１７ａおよび１７ｂに係合するハンドストラップ１６の一対の固定端１６ａおよび１６ｂは、操作者の手の甲と摺動する摺動部１６ｄよりも肉厚になるように形成されている。【００１６】
次に、本実施の形態において、ノートパソコン本体１０を片手で保持して使用する場合の保持方法について説明する。図２は本発明の実施の形態１における情報処理装置のノートパソコン本体１０を片手で保持した状態を示す斜視図である。【００１７】
図２に示すように、ハンドストラップ１６とノートパソコン本体１０の背面部１５との間に片手２１を挿入し、片手２１の手のひらで球面形状の凸部１９を包み込んで握るように保持する。このとき、貫通部１８から片手２１の人差し指、中指あるいは薬指などの第３関節部２２が突出した状態となる。したがって、このような保持形態により、ノートパソコン本体１０の凸部１９と片手２１の手のひらとの接触面積、およびハンドストラップ１６と片手２１の手の甲との接触面積が増加することで、片手２１に対するノートパソコン本体１０の密着を強固にできる。さらに、ハンドストラップ１６と背面部１５との間に挿入した片手２１の凸部１９に対応する手の甲の一部は貫通部１８から外側に突出できる。そのため、片手２が圧迫されてしびれなどを発生することが緩和される。また、貫通部１８の輪郭と外側に露出する片手２１の手の甲との間の摩擦力によりノートパソコン本体１０を所望の方向に安定して支持することができる。さらに、余分な力を必要とせずにノートパソコン本体１０を保持することができる。【００１８】
さらに、本実施の形態ではハンドストラップ１６を略Ｔ字形状としており、挿入した片手２１の向きに対してノートパソコン本体１０を４５度程度の傾斜角度で保持することができる。そのため、ノートパソコン本体１０を自然な状態で片手保持しながら操作者に対して正対させることができ、疲労感がない状態でキー入力などの操作性を向上させることができる。【００１９】
また、ハンドストラップ１６を略Ｔ字形状とし、３点でノートパソコン本体１０の背面部１５に固定して、しかも略中央部に略円形の貫通部１８を備えている。そのため、保持するための片手２１を隣接する２点の固定部１７ｂ、１７ｃ間に挿入して片手の位置決めができる。さらに、貫通部１８から突出した片手２１の第３関節２２近傍の手の甲に貫通部１８の外周部を押し当てて片手の回転自由度を制限することもできる。また、ハンドストラップ１６を伸縮自在なゴムやエラストマーなどの素材によって構成しているために、その弾性力を利用して保持する片手２１と一体となってノートパソコン本体１０をさらに強固に保持することが可能となる。さらに、ハンドストラップ１６を左右対称なＴ字形状とすることで、左利き、右利き兼用にすることができる。さらに、略Ｔ字形状を有するハンドストラップ１６の隣接する固定部１７ｂと１７ｃ間に片手を挿入することにより、挿入した片手の手のひら上でノートパソコン本体１０の向きは略４５度程度の傾斜角度に設定でき、操作者が入力操作性およびディスプレイ装置の視認性を向上させることができる。【００２０】
したがって、ノートパソコン本体１０を立った姿勢のままで使用する場合などには、片手でより強固に、さらに疲労感なくノートパソコン本体１０を保持することができるため、ノートパソコン本体１０を誤って落下させるなどの危険性も少なくなり、操作性および視認性を高めることができる。【００２１】
また、図１Ｂに示すように、ハンドストラップ１６の一対の固定端１６ａおよび１６ｂを摺動部１６ｄの厚みよりも肉厚に構成すれば好ましい。かつ、一対の固定端１６ａおよび１６ｂの先端部と背面部１５との距離を、凸部１９の最も突出している頂部１９ａと背面部１５との距離以上としてもよい。すなわち、ハンドストラップ１６の摺動部１６ｄが弾性体であり、固定端１６ａ、１６ｂが同じ弾性体でも肉厚を厚く構成して剛性を有するようにしている。このようにすると、ノートパソコン本体１０を平坦な机上に置いて使用する場合には、ノートパソコン本体１０の後部、すなわち、図１のヒンジ部１４側が高くなってキーボード１２を傾斜させることができる。この構成により、キー入力の際に加わる押圧力は固定端１６ａおよび１６ｂにより吸収されるため、操作性を高めることができる。さらに、摺動部１６ｄの弾性によりノートパソコン本体１０を机上に載置する際の衝撃を吸収することができる。【００２２】
このとき、固定部１７ｃと係合するハンドストラップ１６の固定端１６ｃは、例えば摺動部１６ｄと同等の肉厚とすると、キーボード１２の傾斜が確実になりより好ましい。このような構成によれば、固定端１６ａ、１６ｂおよび１６ｃが、ノートパソコン本体１０の足ゴムの役割も奏するため、ノートパソコン本体１０を平坦面に載置する際の衝撃をより緩和することもできる。【００２３】
なお、固定部１７ａと固定部１７ｂの背面部１５からの高さを同一とし、その高さを凸部１９の頂部１９ａの高さよりも高い構成とし、固定部１７ａ、１７ｂに、ハンドストラップ１６よりも剛性の高い樹脂製や金属製の脚などを取り付けることでも、キーボード１２を傾斜させることができる。このとき、固定部１７ｃの背面部１５からの高さを、固定部１７ａおよび１７ｂの高さよりも低く構成することで、キーボード１２を傾斜させることができる。なお、固定部１７ａおよび１７ｂを弾性材料で構成すると、上述と同様に足ゴムとしての効果が得ることができる。【００２４】
なお、本実施の形態における情報処理装置によれば、ノートパソコン本体１０の保持を片手２１の手のひらおよび手の甲で行うことができ、指部が自由に使える状態となる。そのため、保持する片手２１の開放されている指の指先を、図２に示すようにノートパソコン本体１０のヒンジ部１４を備える面に沿わせることで、ノートパソコン本体１０の保持安定性をより向上することができる。また指先で触れることができる位置に例えばキーボード１２上の補助キーと同じ機能を有する第２の補助キーなどを設けることで、その操作性をさらに向上させることができる。【００２５】
以上のように、本実施の形態における情報処理装置によれば、ノートパソコン本体を片手で安定して保持できるとともに、片手でのキー入力操作などの操作性と視認性とを向上させることができる。【００２６】
（実施の形態２）
図３Ａ、Ｂは本発明の実施の形態２を説明する図で、図３Ａは本発明の実施の形態２における情報処理装置のノートパソコンを片手で保持した状態を示す斜視図であり、図３Ｂは図３Ａの背面筐体部の長手方向に平行な線であるＢ−Ｂ線断面図である。図３Ａ、Ｂにおいて、図１Ａ、図１Ｂ，図２で用いた構成要素と同一の構成要素については同一の符号を付してその説明を省略する。【００２７】
図３Ａに示すように、本実施の形態における情報処理装置であるノートパソコン本体１０１の基本構成は実施の形態１と同様であり、図３Ｂに示すように、背面筐体部１３の背面部１５には図１Ｂと同様の球面形状の凸部１９が設けられている。【００２８】
本実施の形態ではハンドストラップ３０の構成が実施の形態１と異なる。すなわち、本実施の形態ではハンドストラップ３０は２点固定式のベルトであって、凸部１９の頂部１９ａに対応させて略楕円形の貫通部３１を有し、その両端が背面部１５に設けられた固定部３２ａ、３２ｂに固定されている。貫通部３１の形状は楕円形に限らず、ノートパソコン本体１０１を保持する片手２１の甲を突出させることができる形状や大きさであればよい。固定部３２ａ、３２ｂは使用者の片手２１の大きさ、支持する好みの角度に応じて調節できるように、その位置やハンドストラップ３０の長さが調整できる構成としている。また、実施の形態１と同様に、ハンドストラップ３０は伸縮自在な硬質ゴムや、ポリブチレンテレフタレートやエラストマー性を有する素材などの弾性を備える樹脂などの素材によって構成されている。【００２９】
また、背面部１５に備える固定部３２ａ、３２ｂと係合するハンドストラップ３０の固定端３０ａ、３０ｂは、操作者の手の甲と摺動する摺動部３０ｃよりも肉厚に構成されている。また、背面部１５から固定端３０ａ、３０ｂの先端部までの高さが、凸部１９の頂部１９ａの背面部１５からの高さより大きくなるように構成している。【００３０】
次に、本実施の形態におけるノートパソコン本体１０１を片手で保持して使用する場合の保持方法について説明する。ハンドストラップ３０とノートパソコン本体１０１の背面部１５との間に片手２１を挿入して、片手２１の手のひらで凸部１９を握るように凸部１９の外周に沿って保持し、貫通部３１に人差し指、中指および薬指の第３関節部２２を突出させてノートパソコン本体１０１を保持する。このような保持形態により、ノートパソコン本体１０１の凸部１９と片手２１の手のひらとの接触面積、およびハンドストラップ３０と片手２１の手の甲との接触面積が増加することで、片手２１に対するノートパソコン本体１０１の密着を強固にすることができる。さらに、ハンドストラップ３０と背面部１５との間に挿入した片手２１の凸部１９に対応する手の甲の一部を貫通部３１から外側に突出できるため、手が圧迫されて例えばしびれなどが発生することが緩和される。また、貫通部３１の輪郭と外側に露出する片手２１の手の甲との間の摩擦力によりノートパソコン本体１０１を所望の方向に安定して支持することができ、なおかつ、余分な力を必要とせずに保持することができる。【００３１】
また、本実施の形態では、ハンドストラップ３０が２点固定式のベルトであるために、ベルトの占有面積が小さく、例えば液晶ディスプレイサイズが８．９インチ等のより小型の携帯型情報処理装置やゲーム機等に適応可能である。【００３２】
なお、本実施の形態では、ハンドストラップ３０が２点固定式のベルト状であっても、手のひらを凸部１９の外周に沿って折り曲げながら押圧するとともに、貫通部３１から人差し指、中指および薬指を折り曲げた第３関節部２２が突出した状態になり、ノートパソコン本体１０１をしっかりと保持することができる。したがって、ノートパソコン本体１０１を立った姿勢のままで使用する場合などには、片手２１でより強固にノートパソコン本体１０１を保持することができるため、ノートパソコン本体１０１を誤って落下させるなどの危険性も少なくなる。【００３３】
また、ノートパソコン本体１０１を平坦な机上に置いて使用する場合、ゴムやエラストマーなどからなるハンドストラップ３０の摺動部３０ｃが撓み、固定端３０ａ、３０ｂの先端部を机上の平坦面に当接させることができる。その結果、キーボード１２を傾斜させた状態で机上に載置してキー入力の操作性を高めることができるととともに、実施形態１と同様に、固定端３０ａ、３０ｂが足ゴムとしての機能も実現できる。【００３４】
さらに、本発明の実施の形態２ではハンドストラップ３０に貫通部３１を設けて片手２１の第３関節部２２が貫通部３１に入り込むようにしている。そのため、片手２１をノートパソコン本体１０１に対して例えば４５度程度の傾斜角度で保持しても安定に保持することができる。そのため、ノートパソコン本体１０１を操作者に対して正対するように自然な状態で片手保持し、キー入力などの操作性やディスプレイの視認性を向上させることができる。【００３５】
なお、本実施の形態における情報処理装置によれば、ノートパソコン本体１０１の保持を、手のひらおよび手の甲で行うことができ、指部が自由に使える状態となる。そのため、保持する片手の開放されている指の指先を、図３Ａに示すようにノートパソコン本体１０１のヒンジ部１４（図１参照）を備える面に沿わせることで、ノートパソコン本体１０１の保持安定性をより向上することができる。また指先で触れることができる位置にキーボード１２上の補助キーと同じ機能を有する第２の補助キーを設けても、その操作性をさらに向上させることができる。【００３６】
（実施の形態３）
実施の形態１および２では、ディスプレイ装置を配する前面筐体部１１と入力装置を配する背面筐体部１３とがヒンジ部１４で回動自在に軸支されている情報処理装置について説明した。次にディスプレイ装置と入力装置とが同一筐体に収納される情報処理装置に関する実施の形態について説明する。図４は本発明の実施の形態３における情報処理装置を前面側から見た斜視図であり、図５は同情報処理装置を背面側から見た斜視図、図６は図５におけるＣ−Ｃ線断面図である。【００３７】
図４、図５、図６に示すように、本実施の形態における情報処理装置は前面側に表示部としてのディスプレイ部５３と、操作ボタン５５とを備え、例えば携帯型ナビゲーションシステム（以下、ＮＡＶＩと称す）、パーソナルディジタルアシスタント（以下、ＰＤＡと称す）、ゲーム機などである。本実施の形態ではＮＡＶＩを例に挙げ説明する。ＮＡＶＩ５０は、樹脂などを成型加工した前面筐体部５１と背面筐体部５２とにより構成されている。図４に示すように、前面筐体部５１には視認情報を表示する表示部である液晶ディスプレイなどのディスプレイ部５３と、表示画面のメニュー選択などをする視認情報を制御する制御ボタンである操作ボタン５５などが配置され、前面側でＮＡＶＩ５０の全ての操作が可能なように構成されている。【００３８】
また、図５に示すように、成型加工された背面筐体部５２は、略矩形形状の低面部５６と、低面部５６に連設した低面部５６よりも厚みの大きい高面部５７とを有し、低面部５６と高面部５７との境界は傾斜面の段差部５８を有するように構成されている。また、厚みの大きい高面部５７の内部空間には、ＮＡＶＩ５０の例えば電源としての電池などを内蔵することができ、この場合、背面筐体部５２の側面には電池交換用の蓋部５９や、例えばＵＳＢなどの外部機器との接続端子なども必要に応じて設けている。さらに、高面部５７の略中央部には球面形状の凸部６０が設けられ、凸部６０はその裾の一部が段差部５８を横断し低面部５６の方向に突出するように構成されている。【００３９】
さらに、凸部６０を覆い凸部６０の頂部６０ａと対向する位置に貫通部６１を有するハンドストラップ６２が設けられている。ハンドストラップ６２の両端部は、固定部６３ａ、６３ｂによって背面筐体部５２に固定されている。【００４０】
また、固定部６３ａ、６３ｂはその位置調整が可能でハンドストラップ６２の長さが調整可能なように構成されている。さらに、実施の形態１、実施の形態２と同様に、ハンドストラップ６２は伸縮自在なゴムやポリブチレンテレフタレートやエラストマー性を有する素材などの弾性を備える樹脂などで構成されている。【００４１】
さらに、図６に示すように、例えばハンドストラップ６２の固定端６２ａ、６２ｂをそれぞれハンドストラップ６２の手の甲が摺動する摺動部６２ｃの肉厚よりも厚く成形している。また、固定端６２ａ、６２ｂの高面部５７からの高さを同一として、凸部６０の頂部６０ａの高面部５７からの高さよりも高くしている。このような場合には、ＮＡＶＩ５０を平坦な机上に置いて使用する場合、ハンドストラップ６２の摺動部６２ｃは固定端６２ａ、６２ｂに比べて肉厚が薄いためＮＡＶＩ５０の質量で弾性変形し、摺動部６２ｃは平坦化される。一方、固定端６２ａ、６２ｂは摺動部６２ｃよりも厚肉で成形されているため剛性を有し、なおかつ、固定端６２ａ、６２ｂの高面部５７からの高さが凸部６０の頂部６０ａの高さ以上である。そのため、ＮＡＶＩ５０を傾斜して机上に安定して載置することができる。また、固定端６２ａおよび６２ｂを、図５に示したように高面部５７から低面部５６にかけて低くなるような傾斜を持たせると、さらに、ＮＡＶＩ５０を傾斜して机上に安定して載置することができる。したがって、ＮＡＶＩ５０を机上に載置した場合には、ディスプレイ部５３が傾斜して視認性を高め、操作ボタン５５の操作性を高めることができる。【００４２】
なお、固定端６２ａおよび６２ｂを摺動部６２ｃと同様の弾性を有する素材で構成すると、固定端６２ａ、６２ｂがＮＡＶＩ５０の足ゴムとしての機能を発揮する。すなわち、机上などの平坦な面に背面筐体部５２を載置する際や、ディスプレイ部５３に接触操作する際や、操作ボタン５５を押下する際等にＮＡＶＩ５０に印加される衝撃を緩和して操作性をさらに向上させることができる。【００４３】
次に、本実施の形態におけるＮＡＶＩ５０を片手で保持して使用する場合の保持方法について説明する。ハンドストラップ６２とＮＡＶＩ５０の背面筐体部５２との間に片手を挿入し、片手のひらで凸部６０の外周に沿って握るように、かつ、人差し指、中指および薬指の第３関節部を貫通部６１から突出させるようにしてＮＡＶＩ５０を保持する。このような保持形態によりＮＡＶＩ５０の凸部６０とＮＡＶＩ５０を支持する片手（図３Ａ参照）の手のひらとの接触面積、およびハンドストラップ６２と片手の手の甲との接触面積が増大する。そのため、支持する片手に対するＮＡＶＩ５０の密着を強固にすることができる。さらに、ハンドストラップ６２と背面筐体部５２との間に挿入した片手における凸部６０に対応する手の甲を貫通部６１から突出できるため、手が圧迫されて例えばしびれなどが発生することが緩和される。また、貫通部６１の輪郭と外側に露出する片手の手の甲との間に摩擦力が生じ、この摩擦力によりＮＡＶＩ５０を所望の方向に安定して支持することができる。なおかつ、余分な力を必要とせずにＮＡＶＩ５０を保持することができる。【００４４】
本実施の形態では、ハンドストラップ６２が２点固定式のベルトであるために、ベルトの占有面積が小さく、より小型のＮＡＶＩやゲーム機などに特に適応可能である。【００４５】
なお、ハンドストラップ６２が単に一本のベルト状であっても、手のひらを凸部６０の外周に沿って折り曲げながら押圧するとともに、貫通部６１から人差し指、中指あるいは薬指を折り曲げた第３関節部が突出した状態になり、ＮＡＶＩ５０が滑り落ちる危険性が少なくなる。したがって、ＮＡＶＩ５０を立った姿勢のままで使用する場合などには、片手でより強固かつ安定にＮＡＶＩ５０を保持することができ、ＮＡＶＩ５０を誤って落下させるなどの危険性も少なくなる。【００４６】
また、ＮＡＶＩ５０の保持を、片手の手のひらおよび手の甲で行うことができ、指部が自由に使える状態となる。そのため、保持する片手の開放されている指の指先を、例えば図３Ａと同様に背面筐体５２の上側端面に沿わせることで、ＮＡＶＩ５０の保持安定性をより向上することができる。また指先で触れることができる側面部などに補助ボタンを設け、さらにＮＡＶＩ５０の操作性をさらに向上させることができる。【００４７】
さらに、本実施の形態ではハンドストラップ６２に貫通部６１を設けて片手の第３関節部が貫通部６１に入り込むようにしている。そのため、片手をＮＡＶＩ５０に対して任意の角度（例えば４５度）で傾斜させても安定して保持することができる。また、ＮＡＶＩ５０を操作者に対して正対させた自然な状態で保持してキー入力などの操作性およびディスプレイ部５３の視認性を向上させることができる。【００４８】
また、本実施の形態では、背面筐体部５２の背面部が、略矩形形状の低面部５６と、低面部５６に連設する高面部５７と、低面部５６および高面部５７の境界に傾斜面で段差部５８とを備える。さらに高面部５７上に設けた凸部６０の裾の一部が段差部５８を横断し低面部５６の方向に突出した構成としている。そのために、挿入した片手のひらを凸部６０に沿って折り曲げる際に、低面部５６に手の第３関節から手首まで沿わせる形状とすることができ、保持する手のひらに対して直交する方向の角度の自由度を向上させ疲労感をなお一層低減することができる。【００４９】
図７は本発明の実施の形態におけるＮＡＶＩ５０の他の例を示す斜視図である。図７に示すＮＡＶＩ５０１は図４に示すＮＡＶＩ５０と同じであるが、ＮＡＶＩ５０１は、上部、すなわちディスプレイ部５３の上部に、空間部６５を介して握り部６６を備える把手６４を設けている。把手６４を設けることによってＮＡＶＩ５０１の持ち運びや、ハンドストラップ６２によるＮＡＶＩ５０１を支持する状態からＮＡＶＩ５０１を机上に載置する状態への移行等が便利になるものである。また、前述のように背面筐体部５２を片手で保持した際に、保持した片手の指部を空間部６５に挿入してさらに安定して保持することが可能となる。【００５０】
以上のように、本実施の形態におけるＮＡＶＩ５０およびＮＡＶＩ５０１によれば、ハンドストラップ６２と背面筐体部５２との間に挿入した片手で安定して保持できるとともに、他方の片手での操作ボタン５５による操作などの操作性とディスプレイ部５３の視認性とを向上させることができる。【００５１】
（実施の形態４）
実施の形態３ではディスプレイ装置５３と操作ボタン５５とを同一筐体における同一面に配置したＮＡＶＩで説明した。次に、キーボードもディスクレイ装置と同一面に有するＰＤＡについて説明する。図８は本発明の実施の形態４におけるＰＤＡ８０を前面側から見た斜視図であり、図９はＰＤＡ８０の他の例のＰＤＡ８０１を示す斜視図である。図８、図９に示すように、本実施の形態におけるＰＤＡ８０および８０１は前面側に表示部としてのディスプレイ部８３と、キーボード８４と操作ボタン８５とを備える。【００５２】
図８に示すように、ＰＤＡ８０は樹脂などを成型加工した前面筐体部８１と背面筐体部８２とにより構成されている。前面筐体部８１には液晶ディスプレイなどのディスプレイ部８３と、入力機能を有するキーボード８４と、表示画面のメニュー選択などをして視認情報を制御する操作ボタン８５などが配置され、前面側でＰＤＡ８０の全ての操作が可能なように構成されている。また、図９においては、図８と同一の構成に加えて、ＰＤＡ８０の上部、すなわちディスプレイ部８３の上部に把手８６を設けている。把手８６は空間部８７を有した握り部８８を有している。【００５３】
なお、本実施の形態におけるＰＤＡ８０の背面筐体部８２の構成は、実施の形態３で述べた図５、図６に示す構成と同じであり、図５、図６を用いて背面筐体部８２の構成について説明する。【００５４】
すなわち、背面筐体部８２の背面部が、略矩形形状の低面部５６と、低面部５６に連設する高面部５７と、低面部５６および高面部５７の境界の段差部５８とを備えている。また、厚みの大きい高面部５７の内部空間には、ＰＤＡ８０の例えば電源としての電池が内蔵することができ、この場合、背面筐体部５２の側面には電池交換用の蓋部８９や、ＵＳＢなどの外部機器との接続端子などを設けている。さらに、高面部５７の略中央部には球面形状の凸部６０が設けられ、凸部６０はその裾の一部が段差部５８を横断し低面部５６の方向に突出するように構成されている。【００５５】
さらに、凸部６０を覆い凸部６０の頂部と対向する位置に貫通部６１を有するハンドストラップ６２が設けられている。ハンドストラップ６２の両端部は、固定部６３ａ、６３ｂによって背面筐体部５２に固定されている。【００５６】
また、固定部６３ａ、６３ｂはその位置調整が可能でハンドストラップ６２の長さが調整可能なように構成されている。さらに、ハンドストラップ６２は伸縮自在なゴムやポリブチレンテレフタレートやエラストマー性を有する素材などの弾性を備える樹脂などで構成されている。【００５７】
さらに、図６に示すように、例えばハンドストラップ６２の固定端６２ａ、６２ｂをそれぞれハンドストラップ６２の手の甲が摺動する摺動部６２ｃの肉厚よりも厚く成形し、かつ、固定端６２ａ、６２ｂの高面部５７からの高さを同一として、凸部６０の頂部６０ａの高面部５７からの高さよりも高くしている。このような場合には、ＰＤＡ８０を平坦な机上に置いて使用する場合には、ハンドストラップ６２の摺動部６２ｃは固定端６２ａおよび６２ｂに比べて肉厚が薄いためＰＤＡ８０の質量で弾性変形し、平坦な面上にＰＤＡ８０を載置すると摺動部６２ｃは平坦化される。一方、固定端６２ａおよび６２ｂは摺動部６２ｃよりも厚肉に成形されているため剛性を有し、なおかつ、固定端６２ａ、６２ｂの高面部５７からの高さが凸部６０の頂部６０ａの高さ以上であるために、ＰＤＡ８０を傾斜させて机上に安定して載置することができる。そのため、ディスプレイ部８３が傾斜して視認性を高め、キーボード８４や操作ボタン８５の操作性を高めることができる。【００５８】
さらに、このような構成とすることで、固定端６２ａ、６２ｂがＰＤＡ８０の足ゴムとしての機能を発揮し、机上にＰＤＡ８０を載置する場合、ディスプレイ部８３に接触操作する場合、キーボード８４や操作ボタン８５を押下する場合などには、載置動作および／または操作動作などの衝撃を吸収して安定性および／または操作性を向上させることができる。【００５９】
次に、本実施の形態におけるＰＤＡ８０を片手で保持して使用する場合の保持方法について説明する。ハンドストラップ６２とＰＤＡ８０の背面筐体部８２との間に片手を挿入し、片手のひらで凸部６０の外周に沿って握り、かつ、人差し指、中指および薬指の第３関節部を貫通部６１から突出させてＰＤＡ８０を保持する。このような保持形態によりＰＤＡ８０の凸部６０とＰＤＡ８０を支持する片手（図３Ａ参照）の手のひらとの接触面積、およびハンドストラップ６２と片手の手の甲との接触面積が増大することで、支持する片手に対するＰＤＡ８０の密着を強固にすることができる。さらに、ハンドストラップ６２と背面筐体部８２との間に挿入した片手における凸部６０に対応する手の甲を貫通部６１から突出できるため、手が圧迫されて例えばしびれなどが発生することが緩和されると共に、貫通部６１の輪郭と外側に露出する片手の手の甲との間に摩擦力が生じ、この摩擦力によりＰＤＡ８０を所望の方向に安定して支持することができ、なおかつ、余分な力を必要とせずにＰＤＡ８０を保持することができる。【００６０】
本実施の形態では、ハンドストラップ６２が２点固定式のベルトであるために、ベルトの占有面積が小さく、より小型のＰＤＡやゲーム機などに特に適応可能である。【００６１】
なお、本実施の形態ではハンドストラップ６２を単に一本のベルト状としている。しかしながら、ＰＤＡ８０とハンドストラップ６２との間に挿入した片手で保持する際には、手のひらを凸部６０の外周に沿って折り曲げながら押圧するとともに、貫通部６１から人差し指、中指および薬指を折り曲げた第３関節部が突出した状態になり、ＰＤＡ８０が滑り落ちる危険性が少なくなる。したがって、ＰＤＡ８０を立った姿勢のままで使用する場合などには、片手でより強固かつ安定にＰＤＡ８０を保持することができるため、ＰＤＡ８０を誤って落下させるなどの危険性も少なくなる。【００６２】
また、ＰＤＡ８０の保持を、片手の手のひらおよび手の甲で行うことができ、指部が自由に使える状態となる。そのため、保持する片手の開放されている指の指先を、例えば図３Ａと同様に背面筐体５２の上側端面に沿わせることで、ＰＤＡ８０の保持安定性をより向上することができ、また指先で触れることができる補助ボタンを設け、ＰＤＡ８０の操作性をさらに向上させることができる。【００６３】
さらに、本実施の形態ではハンドストラップ６２に貫通部６１を設けて片手の第３関節部が貫通部６１に入り込むようにしている。そのため、片手をＰＤＡ８０に対して任意の角度（例えば４５度）で傾斜させても安定して保持することができ、ＰＤＡ８０を操作者に対して正対させた自然な状態で保持してキー入力などの操作性およびディスプレイ部８３の視認性を向上させることができる。【００６４】
また、本実施の形態では、背面筐体部５２の背面部が、略矩形形状の低面部５６と、低面部５６に連設する高面部５７と、低面部５６および高面部５７の境界に傾斜面で段差部５８とを備えるようにし、さらに凸部６０の裾の一部が段差部５８を横断し低面部５６の方向に突出した構成としている。そのために、挿入した片手のひらを凸部６０に沿って折り曲げる際に、低面部５６に手の第３関節から手首まで沿わせることができる。そのため、保持する手のひらに対して直交する方向の角度の自由度を向上させ、なおかつ疲労感をなお一層低減することができる。【００６５】
以上のように、本実施の形態における情報処理装置であるＰＤＡ８０によれば、ハンドストラップ６２と背面筐体部８２との間に挿入した片手で安定して保持できるとともに、他方の片手での操作ボタン８５の操作などの操作性とディスプレイ部８３の視認性とを向上させることができる。また、キーボード８４からの入力に際してもディスプレイ部８３とキーボード８４とを楽な姿勢で視認し、操作することができる。【００６６】
図９は本実施の形態４におけるＰＤＡ８０の他の例を示す斜視図である。図９に示すＰＤＡ８０１は図８に示すＰＤＡ８０と基本構成は同じであるが、ＰＤＡ８０１は、上部、すなわちディスプレイ部８３の上部に、空間部８７を介して握り部８８を備える把手８６を設けている。把手８６を設けることによってＰＤＡ８０１の持ち運びや、ハンドストラップ６２によるＰＤＡ８０１を支持する状態からＰＤＡ８０１を机上に載置する状態への移行等が便利になるものである。また、前述のように背面筐体部８２を片手で保持した際に、保持する片手の指部を空間部８７に挿入してさらに安定して保持することが可能となる。【００６７】
このように、本実施の形態におけるＰＤＡ８０１によれば、ハンドストラップ６２と背面筐体部８２との間に挿入した片手で安定して保持できるとともに、他方の片手でのキーボード８４からの入力操作や操作ボタン８５の操作などを安定に操作性を高め、ディスプレイ部８３の視認性とを向上させることができる。【００６８】
なお、ディスプレイ部と、ディスプレイ部に表示する表示信号を制御する制御部であるキーボードや操作ボタンとを、前面筐体部に配置した実施の形態３および４の構成では、ＮＡＶＩやＰＤＡ以外にも、例えばゲーム機や、在庫管理または看護士などが患者の看護に用いる携帯端末などにも適用可能である。また、制御部は制御ボタンに限らず、表示面を手などで触れるタッチパネルにも適用することができる。
【産業上の利用可能性】
【００６９】
本発明による情報処理装置によれば、片手で強固に安定して保持し、キー入力操作などの操作性を向上させた情報処理装置を実現することができるため、携帯型情報処理装置などに特に有用である。
【図１Ａ】
2009101800.tif 000003
【図１Ｂ】
2009101800.tif 000004
【図２】
2009101800.tif 000005
【図３Ａ】
2009101800.tif 000006
【図３Ｂ】
2009101800.tif 000007
【図４】
2009101800.tif 000008
【図５】
2009101800.tif 000009
【図６】
2009101800.tif 000010
【図７】
2009101800.tif 000011
【図８】
2009101800.tif 000012
【図９】
2009101800.tif 000013
【手続補正書】
【提出日】平成21年5月21日(2009.5.21)
【手続補正１】
【補正対象書類名】特許請求の範囲
【補正対象項目名】全文
【補正方法】変更
【補正の内容】
【特許請求の範囲】
【請求項１】
背面筐体部と、前記背面筐体部と対向する前面筐体部と、前記背面筐体部の背面部に外部に突出して設けた凸部と、前記凸部の頂部と対向する位置に貫通部を有するベルトとを備えたことを特徴とする情報処理装置。
【請求項２】
前記前面筐体部に、視認情報を表示する表示部と、前記視認情報を制御する制御ボタンとを配置した請求項１記載の情報処理装置。
【請求項３】
（削除）
【請求項４】
前記凸部が球面形状であることを特徴とする請求項１に記載の情報処理装置。
【請求項５】
前記背面部が、矩形形状の低面部と、前記低面部に連設する高面部と、前記低面部および前記高面部の境界の段差部とを備え、
前記凸部は前記高面部に配置され、前記凸部の裾の一部が前記段差部を横断し前記低面部の方向に突出した構成を備える請求項１、請求項２または請求項４のいずれか一項に記載の情報処理装置。
【手続補正書】
【提出日】平成21年6月2日(2009.6.2)
【手続補正１】
【補正対象書類名】明細書
【補正対象項目名】全文
【補正方法】変更
【補正の内容】
【発明の詳細な説明】
【技術分野】
【０００１】
本発明は、ノートパソコンのような携帯型の情報処理装置に関し、特に、情報処理装置を手で指示することで携帯性を向上させるベルト（吊り紐、ハンドストラップ等とも称され、以下総称してハンドストラップと呼ぶ）を備えた情報処理装置に関するものである。
【背景技術】
【０００２】
近年、パーソナルコンピュータでもノートパソコンのような携帯性に優れた情報処理装置が普及し、より携帯性を向上するためにハンドストラップを装着した携帯型のノートパソコンなどが市販されている。
【０００３】
ノートパソコンはコンピュータ本体と入力装置としてのキーボードなどが収納された背面筐体部と、平面ディスプレイなどが収納された前面筐体部とをヒンジ部で結合し、前面筐体部を折り畳んで全体としてノート型としたものが一般的である。
【０００４】
近年は、これらのノートパソコンの軽量化、小型化が進展し、使用者がノートパソコンを携帯しながら立ったまま操作する場面が多くなっている。このような場合には、ノートパソコンの筐体部の端部を片手で保持しながら、もう一方の片手でキーボードなどを操作することになる。しかしながら、この構成ではノートパソコンを保持する片手に負担が掛かると共に、キーボードなどの操作を行う際にノートパソコンの保持が不安定なため入力操作をし難かった。
【０００５】
この課題は、ノートパソコンを片手でしっかり保持することで解決でき、背面筐体部の背面部にハンドストラップを設け、そのハンドストラップに片手を差し込んで保持を確実に行う例が開示されている（例えば、特許文献１、２参照）。
【０００６】
しかしながら、上記の特許文献１または特許文献２に記載の従来の構成では、ハンドストラップはその両端部をノートパソコンの背面筐体部に固定した単なる帯状のベルトであり、ノートパソコンを保持するための手の甲とハンドストラップとの接触面積が小さい。そのために、挿入した手によってノートパソコンをしっかりと保持することができずに、ノートパソコンが揺動したり滑り落ちたりする。また、キーボードのキーを押圧した場合にも不安定に揺動してキー入力が不確実になり易いといった課題を有していた。
【０００７】
また、片手でノートパソコンを保持し、他方の片手でノートパソコンのキーボードなどを操作する場合などには、キーボードへの入力操作やディスプレイの視認性から、保持する片手に対してノートパソコンを傾斜した状態で保持できる状態とすることが望ましい。しかしながら、特許文献１または特許文献２に記載の従来のハンドストラップの構成では、ノートパソコンに対して傾斜した状態で保持すると、ノートパソコンの保持が不安定になるといった課題を有していた。
【先行技術文献】
【特許文献】
【０００８】
【特許文献１】特開２０００−１０５６３０号公報
【特許文献２】特開２００７−１０２５３２号公報
【発明の概要】
【０００９】
本発明の情報処理装置は、背面筐体部と、背面筐体部と対向する前面筐体部と、背面筐体部の背面部に外部に突出して設けた凸部と、凸部を覆うように背面筐体部に固定したベルトとを備えている。
【００１０】
このような構成により、片手を背面筐体部とベルトの間に挿入すると、挿入した片手のひらが凸部に沿うことで、ベルトの押圧力で挿入した片手は疲労感なく背面筐体部を固定することができ、ノートパソコンの保持を確実に行うことができる。
【図面の簡単な説明】
【００１１】
【図１Ａ】本発明の実施の形態１における情報処理装置であるノートパソコンを下方の背面側から見た斜視図
【図１Ｂ】図１Ａの背面筐体部１３の長手方向に平行な線であるＡ−Ａ線断面図
【図２】本発明の実施の形態１における情報処理装置であるノートパソコンを片手で保持した状態を示す斜視図
【図３Ａ】本発明の実施の形態２における情報処理装置のノートパソコンを片手で保持した状態を示す斜視図
【図３Ｂ】図３Ａの背面筐体部の長手方向に平行な線であるＢ−Ｂ線断面図
【図４】本発明の実施の形態３における情報処理装置を前面側から見た斜視図
【図５】同情報処理装置を背面側から見た斜視図
【図６】図５のＣ−Ｃ線断面図
【図７】同情報処理装置の他の例を示す斜視図
【図８】本発明の実施の形態４における情報処理装置を前面側から見た斜視図
【図９】同情報処理装置の他の例を示す斜視図
【発明を実施するための形態】
【００１２】
以下、本発明の実施の形態について、図面を参照しながら説明する。
【００１３】
（実施の形態１）
図１Ａは本発明の実施の形態１における情報処理装置であるノートパソコンを下方の背面側から見た斜視図であり、図１Ｂは図１Ａの背面筐体部１３の長手方向に平行な線であるＡ−Ａ線断面図である。ノートパソコン本体１０は表示部である液晶ディスプレイ（不図示）などのディスプレイ装置が配置された前面筐体部１１と、前面筐体部１１に対向しキーボード１２などの入力装置が配置されＣＰＵやＨＤＤなどを内蔵した背面筐体部１３とにより構成されている。背面筐体部１３と前面筐体部１１とはヒンジ部１４によって折り畳み可能に構成される。図１Ａは前面筐体部１１を、前面筐体部１１に配置されたディスプレイ装置が視認可能なように開いた状態を示している。
【００１４】
一方、背面筐体部１３の背面部１５にはノートパソコン本体１０を支持するベルト（以下、ハンドストラップと呼ぶ）１６が設けられている。ハンドストラップ１６は固定部１７ａ、１７ｂ、１７ｃの３点で背面筐体部１３と固定された略Ｔ字形状のベルトであり、その略中央部に略円形の貫通部１８を設けた構成としている。ここで、略Ｔ字形状とは、ヒンジ部１４に平行で固定部１７ａと固定部１７ｂとを結ぶ線分に垂直な位置に、固定部１７ｃが設けられて構成されている状態を示している。
【００１５】
また、図１Ｂに示すように、背面部１５には略球面形状の凸部１９が設けられ、ハンドストラップ１６の貫通部１８が、その凸部１９の頂部１９ａの位置に対応して設けられている。なお、ハンドストラップ１６は、伸縮自在な硬質ゴムや、ポリブチレンテレフタレートやエラストマー性を有する素材などの弾性を備える樹脂などの素材によって構成されている。さらに、使用者の手の大きさや配置に対応でき、ハンドストラップ１６の固定部１７ａ、１７ｂ、１７ｃの位置を可変したり、ハンドストラップ１６を取り外したりすることができるように、固定部位置調整部２０が設けられている。また、固定部１７ａおよび１７ｂに係合するハンドストラップ１６の一対の固定端１６ａおよび１６ｂは、操作者の手の甲と摺動する摺動部１６ｄよりも肉厚になるように形成されている。
【００１６】
次に、本実施の形態において、ノートパソコン本体１０を片手で保持して使用する場合の保持方法について説明する。図２は本発明の実施の形態１における情報処理装置のノートパソコン本体１０を片手で保持した状態を示す斜視図である。
【００１７】
図２に示すように、ハンドストラップ１６とノートパソコン本体１０の背面部１５との間に片手２１を挿入し、片手２１の手のひらで球面形状の凸部１９を包み込んで握るように保持する。このとき、貫通部１８から片手２１の人差し指、中指あるいは薬指などの第３関節部２２が突出した状態となる。したがって、このような保持形態により、ノートパソコン本体１０の凸部１９と片手２１の手のひらとの接触面積、およびハンドストラップ１６と片手２１の手の甲との接触面積が増加することで、片手２１に対するノートパソコン本体１０の密着を強固にできる。さらに、ハンドストラップ１６と背面部１５との間に挿入した片手２１の凸部１９に対応する手の甲の一部は貫通部１８から外側に突出できる。そのため、片手２が圧迫されてしびれなどを発生することが緩和される。また、貫通部１８の輪郭と外側に露出する片手２１の手の甲との間の摩擦力によりノートパソコン本体１０を所望の方向に安定して支持することができる。さらに、余分な力を必要とせずにノートパソコン本体１０を保持することができる。
【００１８】
さらに、本実施の形態ではハンドストラップ１６を略Ｔ字形状としており、挿入した片手２１の向きに対してノートパソコン本体１０を４５度程度の傾斜角度で保持することができる。そのため、ノートパソコン本体１０を自然な状態で片手保持しながら操作者に対して正対させることができ、疲労感がない状態でキー入力などの操作性を向上させることができる。
【００１９】
また、ハンドストラップ１６を略Ｔ字形状とし、３点でノートパソコン本体１０の背面部１５に固定して、しかも略中央部に略円形の貫通部１８を備えている。そのため、保持するための片手２１を隣接する２点の固定部１７ｂ、１７ｃ間に挿入して片手の位置決めができる。さらに、貫通部１８から突出した片手２１の第３関節２２近傍の手の甲に貫通部１８の外周部を押し当てて片手の回転自由度を制限することもできる。また、ハンドストラップ１６を伸縮自在なゴムやエラストマーなどの素材によって構成しているために、その弾性力を利用して保持する片手２１と一体となってノートパソコン本体１０をさらに強固に保持することが可能となる。さらに、ハンドストラップ１６を左右対称なＴ字形状とすることで、左利き、右利き兼用にすることができる。さらに、略Ｔ字形状を有するハンドストラップ１６の隣接する固定部１７ｂと１７ｃ間に片手を挿入することにより、挿入した片手の手のひら上でノートパソコン本体１０の向きは略４５度程度の傾斜角度に設定でき、操作者が入力操作性およびディスプレイ装置の視認性を向上させることができる。
【００２０】
したがって、ノートパソコン本体１０を立った姿勢のままで使用する場合などには、片手でより強固に、さらに疲労感なくノートパソコン本体１０を保持することができるため、ノートパソコン本体１０を誤って落下させるなどの危険性も少なくなり、操作性および視認性を高めることができる。
【００２１】
また、図１Ｂに示すように、ハンドストラップ１６の一対の固定端１６ａおよび１６ｂを摺動部１６ｄの厚みよりも肉厚に構成すれば好ましい。かつ、一対の固定端１６ａおよび１６ｂの先端部と背面部１５との距離を、凸部１９の最も突出している頂部１９ａと背面部１５との距離以上としてもよい。すなわち、ハンドストラップ１６の摺動部１６ｄが弾性体であり、固定端１６ａ、１６ｂが同じ弾性体でも肉厚を厚く構成して剛性を有するようにしている。このようにすると、ノートパソコン本体１０を平坦な机上に置いて使用する場合には、ノートパソコン本体１０の後部、すなわち、図１のヒンジ部１４側が高くなってキーボード１２を傾斜させることができる。この構成により、キー入力の際に加わる押圧力は固定端１６ａおよび１６ｂにより吸収されるため、操作性を高めることができる。さらに、摺動部１６ｄの弾性によりノートパソコン本体１０を机上に載置する際の衝撃を吸収することができる。
【００２２】
このとき、固定部１７ｃと係合するハンドストラップ１６の固定端１６ｃは、例えば摺動部１６ｄと同等の肉厚とすると、キーボード１２の傾斜が確実になりより好ましい。このような構成によれば、固定端１６ａ、１６ｂおよび１６ｃが、ノートパソコン本体１０の足ゴムの役割も奏するため、ノートパソコン本体１０を平坦面に載置する際の衝撃をより緩和することもできる。
【００２３】
なお、固定部１７ａと固定部１７ｂの背面部１５からの高さを同一とし、その高さを凸部１９の頂部１９ａの高さよりも高い構成とし、固定部１７ａ、１７ｂに、ハンドストラップ１６よりも剛性の高い樹脂製や金属製の脚などを取り付けることでも、キーボード１２を傾斜させることができる。このとき、固定部１７ｃの背面部１５からの高さを、固定部１７ａおよび１７ｂの高さよりも低く構成することで、キーボード１２を傾斜させることができる。なお、固定部１７ａおよび１７ｂを弾性材料で構成すると、上述と同様に足ゴムとしての効果が得ることができる。
【００２４】
なお、本実施の形態における情報処理装置によれば、ノートパソコン本体１０の保持を片手２１の手のひらおよび手の甲で行うことができ、指部が自由に使える状態となる。そのため、保持する片手２１の開放されている指の指先を、図２に示すようにノートパソコン本体１０のヒンジ部１４を備える面に沿わせることで、ノートパソコン本体１０の保持安定性をより向上することができる。また指先で触れることができる位置に例えばキーボード１２上の補助キーと同じ機能を有する第２の補助キーなどを設けることで、その操作性をさらに向上させることができる。
【００２５】
以上のように、本実施の形態における情報処理装置によれば、ノートパソコン本体を片手で安定して保持できるとともに、片手でのキー入力操作などの操作性と視認性とを向上させることができる。
【００２６】
（実施の形態２）
図３Ａ、Ｂは本発明の実施の形態２を説明する図で、図３Ａは本発明の実施の形態２における情報処理装置のノートパソコンを片手で保持した状態を示す斜視図であり、図３Ｂは図３Ａの背面筐体部の長手方向に平行な線であるＢ−Ｂ線断面図である。図３Ａ、Ｂにおいて、図１Ａ、図１Ｂ，図２で用いた構成要素と同一の構成要素については同一の符号を付してその説明を省略する。
【００２７】
図３Ａに示すように、本実施の形態における情報処理装置であるノートパソコン本体１０１の基本構成は実施の形態１と同様であり、図３Ｂに示すように、背面筐体部１３の背面部１５には図１Ｂと同様の球面形状の凸部１９が設けられている。
【００２８】
本実施の形態ではハンドストラップ３０の構成が実施の形態１と異なる。すなわち、本実施の形態ではハンドストラップ３０は２点固定式のベルトであって、凸部１９の頂部１９ａに対応させて略楕円形の貫通部３１を有し、その両端が背面部１５に設けられた固定部３２ａ、３２ｂに固定されている。貫通部３１の形状は楕円形に限らず、ノートパソコン本体１０１を保持する片手２１の甲を突出させることができる形状や大きさであればよい。固定部３２ａ、３２ｂは使用者の片手２１の大きさ、支持する好みの角度に応じて調節できるように、その位置やハンドストラップ３０の長さが調整できる構成としている。また、実施の形態１と同様に、ハンドストラップ３０は伸縮自在な硬質ゴムや、ポリブチレンテレフタレートやエラストマー性を有する素材などの弾性を備える樹脂などの素材によって構成されている。
【００２９】
また、背面部１５に備える固定部３２ａ、３２ｂと係合するハンドストラップ３０の固定端３０ａ、３０ｂは、操作者の手の甲と摺動する摺動部３０ｃよりも肉厚に構成されている。また、背面部１５から固定端３０ａ、３０ｂの先端部までの高さが、凸部１９の頂部１９ａの背面部１５からの高さより大きくなるように構成している。
【００３０】
次に、本実施の形態におけるノートパソコン本体１０１を片手で保持して使用する場合の保持方法について説明する。ハンドストラップ３０とノートパソコン本体１０１の背面部１５との間に片手２１を挿入して、片手２１の手のひらで凸部１９を握るように凸部１９の外周に沿って保持し、貫通部３１に人差し指、中指および薬指の第３関節部２２を突出させてノートパソコン本体１０１を保持する。このような保持形態により、ノートパソコン本体１０１の凸部１９と片手２１の手のひらとの接触面積、およびハンドストラップ３０と片手２１の手の甲との接触面積が増加することで、片手２１に対するノートパソコン本体１０１の密着を強固にすることができる。さらに、ハンドストラップ３０と背面部１５との間に挿入した片手２１の凸部１９に対応する手の甲の一部を貫通部３１から外側に突出できるため、手が圧迫されて例えばしびれなどが発生することが緩和される。また、貫通部３１の輪郭と外側に露出する片手２１の手の甲との間の摩擦力によりノートパソコン本体１０１を所望の方向に安定して支持することができ、なおかつ、余分な力を必要とせずに保持することができる。
【００３１】
また、本実施の形態では、ハンドストラップ３０が２点固定式のベルトであるために、ベルトの占有面積が小さく、例えば液晶ディスプレイサイズが８．９インチ等のより小型の携帯型情報処理装置やゲーム機等に適応可能である。
【００３２】
なお、本実施の形態では、ハンドストラップ３０が２点固定式のベルト状であっても、手のひらを凸部１９の外周に沿って折り曲げながら押圧するとともに、貫通部３１から人差し指、中指および薬指を折り曲げた第３関節部２２が突出した状態になり、ノートパソコン本体１０１をしっかりと保持することができる。したがって、ノートパソコン本体１０１を立った姿勢のままで使用する場合などには、片手２１でより強固にノートパソコン本体１０１を保持することができるため、ノートパソコン本体１０１を誤って落下させるなどの危険性も少なくなる。
【００３３】
また、ノートパソコン本体１０１を平坦な机上に置いて使用する場合、ゴムやエラストマーなどからなるハンドストラップ３０の摺動部３０ｃが撓み、固定端３０ａ、３０ｂの先端部を机上の平坦面に当接させることができる。その結果、キーボード１２を傾斜させた状態で机上に載置してキー入力の操作性を高めることができるととともに、実施形態１と同様に、固定端３０ａ、３０ｂが足ゴムとしての機能も実現できる。
【００３４】
さらに、本発明の実施の形態２ではハンドストラップ３０に貫通部３１を設けて片手２１の第３関節部２２が貫通部３１に入り込むようにしている。そのため、片手２１をノートパソコン本体１０１に対して例えば４５度程度の傾斜角度で保持しても安定に保持することができる。そのため、ノートパソコン本体１０１を操作者に対して正対するように自然な状態で片手保持し、キー入力などの操作性やディスプレイの視認性を向上させることができる。
【００３５】
なお、本実施の形態における情報処理装置によれば、ノートパソコン本体１０１の保持を、手のひらおよび手の甲で行うことができ、指部が自由に使える状態となる。そのため、保持する片手の開放されている指の指先を、図３Ａに示すようにノートパソコン本体１０１のヒンジ部１４（図１参照）を備える面に沿わせることで、ノートパソコン本体１０１の保持安定性をより向上することができる。また指先で触れることができる位置にキーボード１２上の補助キーと同じ機能を有する第２の補助キーを設けても、その操作性をさらに向上させることができる。
【００３６】
（実施の形態３）
実施の形態１および２では、ディスプレイ装置を配する前面筐体部１１と入力装置を配する背面筐体部１３とがヒンジ部１４で回動自在に軸支されている情報処理装置について説明した。次にディスプレイ装置と入力装置とが同一筐体に収納される情報処理装置に関する実施の形態について説明する。図４は本発明の実施の形態３における情報処理装置を前面側から見た斜視図であり、図５は同情報処理装置を背面側から見た斜視図、図６は図５におけるＣ−Ｃ線断面図である。
【００３７】
図４、図５、図６に示すように、本実施の形態における情報処理装置は前面側に表示部としてのディスプレイ部５３と、操作ボタン５５とを備え、例えば携帯型ナビゲーションシステム（以下、ＮＡＶＩと称す）、パーソナルディジタルアシスタント（以下、ＰＤＡと称す）、ゲーム機などである。本実施の形態ではＮＡＶＩを例に挙げ説明する。ＮＡＶＩ５０は、樹脂などを成型加工した前面筐体部５１と背面筐体部５２とにより構成されている。図４に示すように、前面筐体部５１には視認情報を表示する表示部である液晶ディスプレイなどのディスプレイ部５３と、表示画面のメニュー選択などをする視認情報を制御する制御ボタンである操作ボタン５５などが配置され、前面側でＮＡＶＩ５０の全ての操作が可能なように構成されている。
【００３８】
また、図５に示すように、成型加工された背面筐体部５２は、略矩形形状の低面部５６と、低面部５６に連設した低面部５６よりも厚みの大きい高面部５７とを有し、低面部５６と高面部５７との境界は傾斜面の段差部５８を有するように構成されている。また、厚みの大きい高面部５７の内部空間には、ＮＡＶＩ５０の例えば電源としての電池などを内蔵することができ、この場合、背面筐体部５２の側面には電池交換用の蓋部５９や、例えばＵＳＢなどの外部機器との接続端子なども必要に応じて設けている。さらに、高面部５７の略中央部には球面形状の凸部６０が設けられ、凸部６０はその裾の一部が段差部５８を横断し低面部５６の方向に突出するように構成されている。
【００３９】
さらに、凸部６０を覆い凸部６０の頂部６０ａと対向する位置に貫通部６１を有するハンドストラップ６２が設けられている。ハンドストラップ６２の両端部は、固定部６３ａ、６３ｂによって背面筐体部５２に固定されている。
【００４０】
また、固定部６３ａ、６３ｂはその位置調整が可能でハンドストラップ６２の長さが調整可能なように構成されている。さらに、実施の形態１、実施の形態２と同様に、ハンドストラップ６２は伸縮自在なゴムやポリブチレンテレフタレートやエラストマー性を有する素材などの弾性を備える樹脂などで構成されている。
【００４１】
さらに、図６に示すように、例えばハンドストラップ６２の固定端６２ａ、６２ｂをそれぞれハンドストラップ６２の手の甲が摺動する摺動部６２ｃの肉厚よりも厚く成形している。また、固定端６２ａ、６２ｂの高面部５７からの高さを同一として、凸部６０の頂部６０ａの高面部５７からの高さよりも高くしている。このような場合には、ＮＡＶＩ５０を平坦な机上に置いて使用する場合、ハンドストラップ６２の摺動部６２ｃは固定端６２ａ、６２ｂに比べて肉厚が薄いためＮＡＶＩ５０の質量で弾性変形し、摺動部６２ｃは平坦化される。一方、固定端６２ａ、６２ｂは摺動部６２ｃよりも厚肉で成形されているため剛性を有し、なおかつ、固定端６２ａ、６２ｂの高面部５７からの高さが凸部６０の頂部６０ａの高さ以上である。そのため、ＮＡＶＩ５０を傾斜して机上に安定して載置することができる。また、固定端６２ａおよび６２ｂを、図５に示したように高面部５７から低面部５６にかけて低くなるような傾斜を持たせると、さらに、ＮＡＶＩ５０を傾斜して机上に安定して載置することができる。したがって、ＮＡＶＩ５０を机上に載置した場合には、ディスプレイ部５３が傾斜して視認性を高め、操作ボタン５５の操作性を高めることができる。
【００４２】
なお、固定端６２ａおよび６２ｂを摺動部６２ｃと同様の弾性を有する素材で構成すると、固定端６２ａ、６２ｂがＮＡＶＩ５０の足ゴムとしての機能を発揮する。すなわち、机上などの平坦な面に背面筐体部５２を載置する際や、ディスプレイ部５３に接触操作する際や、操作ボタン５５を押下する際等にＮＡＶＩ５０に印加される衝撃を緩和して操作性をさらに向上させることができる。
【００４３】
次に、本実施の形態におけるＮＡＶＩ５０を片手で保持して使用する場合の保持方法について説明する。ハンドストラップ６２とＮＡＶＩ５０の背面筐体部５２との間に片手を挿入し、片手のひらで凸部６０の外周に沿って握るように、かつ、人差し指、中指および薬指の第３関節部を貫通部６１から突出させるようにしてＮＡＶＩ５０を保持する。このような保持形態によりＮＡＶＩ５０の凸部６０とＮＡＶＩ５０を支持する片手（図３Ａ参照）の手のひらとの接触面積、およびハンドストラップ６２と片手の手の甲との接触面積が増大する。そのため、支持する片手に対するＮＡＶＩ５０の密着を強固にすることができる。さらに、ハンドストラップ６２と背面筐体部５２との間に挿入した片手における凸部６０に対応する手の甲を貫通部６１から突出できるため、手が圧迫されて例えばしびれなどが発生することが緩和される。また、貫通部６１の輪郭と外側に露出する片手の手の甲との間に摩擦力が生じ、この摩擦力によりＮＡＶＩ５０を所望の方向に安定して支持することができる。なおかつ、余分な力を必要とせずにＮＡＶＩ５０を保持することができる。
【００４４】
本実施の形態では、ハンドストラップ６２が２点固定式のベルトであるために、ベルトの占有面積が小さく、より小型のＮＡＶＩやゲーム機などに特に適応可能である。
【００４５】
なお、ハンドストラップ６２が単に一本のベルト状であっても、手のひらを凸部６０の外周に沿って折り曲げながら押圧するとともに、貫通部６１から人差し指、中指あるいは薬指を折り曲げた第３関節部が突出した状態になり、ＮＡＶＩ５０が滑り落ちる危険性が少なくなる。したがって、ＮＡＶＩ５０を立った姿勢のままで使用する場合などには、片手でより強固かつ安定にＮＡＶＩ５０を保持することができ、ＮＡＶＩ５０を誤って落下させるなどの危険性も少なくなる。
【００４６】
また、ＮＡＶＩ５０の保持を、片手の手のひらおよび手の甲で行うことができ、指部が自由に使える状態となる。そのため、保持する片手の開放されている指の指先を、例えば図３Ａと同様に背面筐体５２の上側端面に沿わせることで、ＮＡＶＩ５０の保持安定性をより向上することができる。また指先で触れることができる側面部などに補助ボタンを設け、さらにＮＡＶＩ５０の操作性をさらに向上させることができる。
【００４７】
さらに、本実施の形態ではハンドストラップ６２に貫通部６１を設けて片手の第３関節部が貫通部６１に入り込むようにしている。そのため、片手をＮＡＶＩ５０に対して任意の角度（例えば４５度）で傾斜させても安定して保持することができる。また、ＮＡＶＩ５０を操作者に対して正対させた自然な状態で保持してキー入力などの操作性およびディスプレイ部５３の視認性を向上させることができる。
【００４８】
また、本実施の形態では、背面筐体部５２の背面部が、略矩形形状の低面部５６と、低面部５６に連設する高面部５７と、低面部５６および高面部５７の境界に傾斜面で段差部５８とを備える。さらに高面部５７上に設けた凸部６０の裾の一部が段差部５８を横断し低面部５６の方向に突出した構成としている。そのために、挿入した片手のひらを凸部６０に沿って折り曲げる際に、低面部５６に手の第３関節から手首まで沿わせる形状とすることができ、保持する手のひらに対して直交する方向の角度の自由度を向上させ疲労感をなお一層低減することができる。
【００４９】
図７は本発明の実施の形態におけるＮＡＶＩ５０の他の例を示す斜視図である。図７に示すＮＡＶＩ５０１は図４に示すＮＡＶＩ５０と同じであるが、ＮＡＶＩ５０１は、上部、すなわちディスプレイ部５３の上部に、空間部６５を介して握り部６６を備える把手６４を設けている。把手６４を設けることによってＮＡＶＩ５０１の持ち運びや、ハンドストラップ６２によるＮＡＶＩ５０１を支持する状態からＮＡＶＩ５０１を机上に載置する状態への移行等が便利になるものである。また、前述のように背面筐体部５２を片手で保持した際に、保持した片手の指部を空間部６５に挿入してさらに安定して保持することが可能となる。
【００５０】
以上のように、本実施の形態におけるＮＡＶＩ５０およびＮＡＶＩ５０１によれば、ハンドストラップ６２と背面筐体部５２との間に挿入した片手で安定して保持できるとともに、他方の片手での操作ボタン５５による操作などの操作性とディスプレイ部５３の視認性とを向上させることができる。
【００５１】
（実施の形態４）
実施の形態３ではディスプレイ装置５３と操作ボタン５５とを同一筐体における同一面に配置したＮＡＶＩで説明した。次に、キーボードもディスクレイ装置と同一面に有するＰＤＡについて説明する。図８は本発明の実施の形態４におけるＰＤＡ８０を前面側から見た斜視図であり、図９はＰＤＡ８０の他の例のＰＤＡ８０１を示す斜視図である。図８、図９に示すように、本実施の形態におけるＰＤＡ８０および８０１は前面側に表示部としてのディスプレイ部８３と、キーボード８４と操作ボタン８５とを備える。
【００５２】
図８に示すように、ＰＤＡ８０は樹脂などを成型加工した前面筐体部８１と背面筐体部８２とにより構成されている。前面筐体部８１には液晶ディスプレイなどのディスプレイ部８３と、入力機能を有するキーボード８４と、表示画面のメニュー選択などをして視認情報を制御する操作ボタン８５などが配置され、前面側でＰＤＡ８０の全ての操作が可能なように構成されている。また、図９においては、図８と同一の構成に加えて、ＰＤＡ８０の上部、すなわちディスプレイ部８３の上部に把手８６を設けている。把手８６は空間部８７を有した握り部８８を有している。
【００５３】
なお、本実施の形態におけるＰＤＡ８０の背面筐体部８２の構成は、実施の形態３で述べた図５、図６に示す構成と同じであり、図５、図６を用いて背面筐体部８２の構成について説明する。
【００５４】
すなわち、背面筐体部８２の背面部が、略矩形形状の低面部５６と、低面部５６に連設する高面部５７と、低面部５６および高面部５７の境界の段差部５８とを備えている。また、厚みの大きい高面部５７の内部空間には、ＰＤＡ８０の例えば電源としての電池が内蔵することができ、この場合、背面筐体部５２の側面には電池交換用の蓋部８９や、ＵＳＢなどの外部機器との接続端子などを設けている。さらに、高面部５７の略中央部には球面形状の凸部６０が設けられ、凸部６０はその裾の一部が段差部５８を横断し低面部５６の方向に突出するように構成されている。
【００５５】
さらに、凸部６０を覆い凸部６０の頂部と対向する位置に貫通部６１を有するハンドストラップ６２が設けられている。ハンドストラップ６２の両端部は、固定部６３ａ、６３ｂによって背面筐体部５２に固定されている。
【００５６】
また、固定部６３ａ、６３ｂはその位置調整が可能でハンドストラップ６２の長さが調整可能なように構成されている。さらに、ハンドストラップ６２は伸縮自在なゴムやポリブチレンテレフタレートやエラストマー性を有する素材などの弾性を備える樹脂などで構成されている。
【００５７】
さらに、図６に示すように、例えばハンドストラップ６２の固定端６２ａ、６２ｂをそれぞれハンドストラップ６２の手の甲が摺動する摺動部６２ｃの肉厚よりも厚く成形し、かつ、固定端６２ａ、６２ｂの高面部５７からの高さを同一として、凸部６０の頂部６０ａの高面部５７からの高さよりも高くしている。このような場合には、ＰＤＡ８０を平坦な机上に置いて使用する場合には、ハンドストラップ６２の摺動部６２ｃは固定端６２ａおよび６２ｂに比べて肉厚が薄いためＰＤＡ８０の質量で弾性変形し、平坦な面上にＰＤＡ８０を載置すると摺動部６２ｃは平坦化される。一方、固定端６２ａおよび６２ｂは摺動部６２ｃよりも厚肉に成形されているため剛性を有し、なおかつ、固定端６２ａ、６２ｂの高面部５７からの高さが凸部６０の頂部６０ａの高さ以上であるために、ＰＤＡ８０を傾斜させて机上に安定して載置することができる。そのため、ディスプレイ部８３が傾斜して視認性を高め、キーボード８４や操作ボタン８５の操作性を高めることができる。
【００５８】
さらに、このような構成とすることで、固定端６２ａ、６２ｂがＰＤＡ８０の足ゴムとしての機能を発揮し、机上にＰＤＡ８０を載置する場合、ディスプレイ部８３に接触操作する場合、キーボード８４や操作ボタン８５を押下する場合などには、載置動作および／または操作動作などの衝撃を吸収して安定性および／または操作性を向上させることができる。
【００５９】
次に、本実施の形態におけるＰＤＡ８０を片手で保持して使用する場合の保持方法について説明する。ハンドストラップ６２とＰＤＡ８０の背面筐体部８２との間に片手を挿入し、片手のひらで凸部６０の外周に沿って握り、かつ、人差し指、中指および薬指の第３関節部を貫通部６１から突出させてＰＤＡ８０を保持する。このような保持形態によりＰＤＡ８０の凸部６０とＰＤＡ８０を支持する片手（図３Ａ参照）の手のひらとの接触面積、およびハンドストラップ６２と片手の手の甲との接触面積が増大することで、支持する片手に対するＰＤＡ８０の密着を強固にすることができる。さらに、ハンドストラップ６２と背面筐体部８２との間に挿入した片手における凸部６０に対応する手の甲を貫通部６１から突出できるため、手が圧迫されて例えばしびれなどが発生することが緩和されると共に、貫通部６１の輪郭と外側に露出する片手の手の甲との間に摩擦力が生じ、この摩擦力によりＰＤＡ８０を所望の方向に安定して支持することができ、なおかつ、余分な力を必要とせずにＰＤＡ８０を保持することができる。
【００６０】
本実施の形態では、ハンドストラップ６２が２点固定式のベルトであるために、ベルトの占有面積が小さく、より小型のＰＤＡやゲーム機などに特に適応可能である。
【００６１】
なお、本実施の形態ではハンドストラップ６２を単に一本のベルト状としている。しかしながら、ＰＤＡ８０とハンドストラップ６２との間に挿入した片手で保持する際には、手のひらを凸部６０の外周に沿って折り曲げながら押圧するとともに、貫通部６１から人差し指、中指および薬指を折り曲げた第３関節部が突出した状態になり、ＰＤＡ８０が滑り落ちる危険性が少なくなる。したがって、ＰＤＡ８０を立った姿勢のままで使用する場合などには、片手でより強固かつ安定にＰＤＡ８０を保持することができるため、ＰＤＡ８０を誤って落下させるなどの危険性も少なくなる。
【００６２】
また、ＰＤＡ８０の保持を、片手の手のひらおよび手の甲で行うことができ、指部が自由に使える状態となる。そのため、保持する片手の開放されている指の指先を、例えば図３Ａと同様に背面筐体５２の上側端面に沿わせることで、ＰＤＡ８０の保持安定性をより向上することができ、また指先で触れることができる補助ボタンを設け、ＰＤＡ８０の操作性をさらに向上させることができる。
【００６３】
さらに、本実施の形態ではハンドストラップ６２に貫通部６１を設けて片手の第３関節部が貫通部６１に入り込むようにしている。そのため、片手をＰＤＡ８０に対して任意の角度（例えば４５度）で傾斜させても安定して保持することができ、ＰＤＡ８０を操作者に対して正対させた自然な状態で保持してキー入力などの操作性およびディスプレイ部８３の視認性を向上させることができる。
【００６４】
また、本実施の形態では、背面筐体部５２の背面部が、略矩形形状の低面部５６と、低面部５６に連設する高面部５７と、低面部５６および高面部５７の境界に傾斜面で段差部５８とを備えるようにし、さらに凸部６０の裾の一部が段差部５８を横断し低面部５６の方向に突出した構成としている。そのために、挿入した片手のひらを凸部６０に沿って折り曲げる際に、低面部５６に手の第３関節から手首まで沿わせることができる。そのため、保持する手のひらに対して直交する方向の角度の自由度を向上させ、なおかつ疲労感をなお一層低減することができる。
【００６５】
以上のように、本実施の形態における情報処理装置であるＰＤＡ８０によれば、ハンドストラップ６２と背面筐体部８２との間に挿入した片手で安定して保持できるとともに、他方の片手での操作ボタン８５の操作などの操作性とディスプレイ部８３の視認性とを向上させることができる。また、キーボード８４からの入力に際してもディスプレイ部８３とキーボード８４とを楽な姿勢で視認し、操作することができる。
【００６６】
図９は本実施の形態４におけるＰＤＡ８０の他の例を示す斜視図である。図９に示すＰＤＡ８０１は図８に示すＰＤＡ８０と基本構成は同じであるが、ＰＤＡ８０１は、上部、すなわちディスプレイ部８３の上部に、空間部８７を介して握り部８８を備える把手８６を設けている。把手８６を設けることによってＰＤＡ８０１の持ち運びや、ハンドストラップ６２によるＰＤＡ８０１を支持する状態からＰＤＡ８０１を机上に載置する状態への移行等が便利になるものである。また、前述のように背面筐体部８２を片手で保持した際に、保持する片手の指部を空間部８７に挿入してさらに安定して保持することが可能となる。
【００６７】
このように、本実施の形態におけるＰＤＡ８０１によれば、ハンドストラップ６２と背面筐体部８２との間に挿入した片手で安定して保持できるとともに、他方の片手でのキーボード８４からの入力操作や操作ボタン８５の操作などを安定に操作性を高め、ディスプレイ部８３の視認性とを向上させることができる。
【００６８】
なお、ディスプレイ部と、ディスプレイ部に表示する表示信号を制御する制御部であるキーボードや操作ボタンとを、前面筐体部に配置した実施の形態３および４の構成では、ＮＡＶＩやＰＤＡ以外にも、例えばゲーム機や、在庫管理または看護士などが患者の看護に用いる携帯端末などにも適用可能である。また、制御部は制御ボタンに限らず、表示面を手などで触れるタッチパネルにも適用することができる。
【産業上の利用可能性】
【００６９】
本発明による情報処理装置によれば、片手で強固に安定して保持し、キー入力操作などの操作性を向上させた情報処理装置を実現することができるため、携帯型情報処理装置などに特に有用である。
【符号の説明】
【００７０】
１０，１０１    ノートパソコン本体
１１，５１，８１    前面筐体部
１２，８４    キーボード
１３，５２，８２    背面筐体部
１４    ヒンジ部
１５    背面部
１６，３０，６２    ベルト（ハンドストラップ）
１６ａ，１６ｂ，１６ｃ，３０ａ，３０ｂ，６２ａ，６２ｂ    固定端
１６ｄ，３０ｃ，６２ｃ    摺動部
１７ａ，１７ｂ，１７ｃ，３２ａ，３２ｂ，６３ａ，６３ｂ    固定部
１８，３１，６１    貫通部
１９，６０    凸部
１９ａ，６０ａ    頂部
２０    固定部位置調整部
２１    片手
２２    第３関節部
５０，５０１    ＮＡＶＩ
５３，８３    ディスプレイ部
５５，８５    操作ボタン
５６    低面部
５７    高面部
５８    段差部
５９，８９    蓋部
６４，８６    把手
６５，８７    空間部
６６，８８    握り部
８０，８０１    ＰＤＡ
【手続補正２】
【補正対象書類名】特許請求の範囲
【補正対象項目名】全文
【補正方法】変更
【補正の内容】
【特許請求の範囲】
【請求項１】
背面筐体部と、前記背面筐体部と対向する前面筐体部と、前記背面筐体部の背面部に外部に突出して設けた凸部と、前記凸部の頂部と対向する位置に貫通部を有するベルトとを備えたことを特徴とする情報処理装置。
【請求項２】
前記前面筐体部に、視認情報を表示する表示部と、前記視認情報を制御する制御ボタンとを配置した請求項１記載の情報処理装置。
【請求項３】
前記凸部が球面形状であることを特徴とする請求項１に記載の情報処理装置。
【請求項４】
前記背面部が、矩形形状の低面部と、前記低面部に連設する高面部と、前記低面部および前記高面部の境界の段差部とを備え、
前記凸部は前記高面部に配置され、前記凸部の裾の一部が前記段差部を横断し前記低面部の方向に突出した構成を備える請求項１、請求項２または請求項３のいずれか一項に記載の情報処理装置。
【手続補正３】
【補正対象書類名】図面
【補正対象項目名】全図
【補正方法】変更
【補正の内容】
【図１Ａ】
2009101800.tif 000014
【図１Ｂ】
2009101800.tif 000015
【図２】
2009101800.tif 000016
【図３Ａ】
2009101800.tif 000017
【図３Ｂ】
2009101800.tif 000018
【図４】
2009101800.tif 000019
【図５】
2009101800.tif 000020
【図６】
2009101800.tif 000021
【図７】
2009101800.tif 000022
【図８】
2009101800.tif 000023
【図９】
2009101800.tif 000024
【手続補正書】
【提出日】平成22年10月21日(2010.10.21)
【手続補正１】
【補正対象書類名】特許請求の範囲
【補正対象項目名】全文
【補正方法】変更
【補正の内容】
【特許請求の範囲】
【請求項１】
背面筐体部と、
前記背面筐体部と対向する前面筐体部と、
前記背面筐体部の背面部に外部に突出して設けた凸部と、
複数の固定部で前記背面筐体部に固定され、前記複数の固定部の間に設けられた貫通部を備えるベルトとを有し、
前記貫通部は、前記凸部を覆い、前記凸部の頂部と対向する位置に備えたことを特徴とする情報処理装置。
【請求項２】
前記背面部が、矩形形状の低面部と、前記低面部に連設する高面部と、前記低面部および前記高面部の境界の段差部とを備え、
前記凸部は前記高面部に配置され、前記凸部の裾の一部が前記段差部を横断し前記低面部の方向に突出した構成を備える請求項１記載の情報処理装置。
【請求項３】
請求項１または２に記載の情報処理装置における前記ベルトと前記凸部との間に使用者の片手の手のひらを挿入し、前記片手の手の甲の一部を前記貫通部から突出させ、前記片手の手のひらで前記凸部を包み込み握るように保持すると共に、前記手の甲と前記貫通部との接触面積を増加させ、前記片手と前記情報処理装置との密着を強固にする保持方法。
【手続補正２】
【補正対象書類名】明細書
【補正対象項目名】全文
【補正方法】変更
【補正の内容】
【発明の詳細な説明】
【技術分野】
【０００１】
本発明は、ノートパソコンのような携帯型の情報処理装置に関し、特に、情報処理装置を手で指示することで携帯性を向上させるベルト（吊り紐、ハンドストラップ等とも称され、以下総称してハンドストラップと呼ぶ）を備えた情報処理装置に関するものである。
【背景技術】
【０００２】
近年、パーソナルコンピュータでもノートパソコンのような携帯性に優れた情報処理装置が普及し、より携帯性を向上するためにハンドストラップを装着した携帯型のノートパソコンなどが市販されている。
【０００３】
ノートパソコンはコンピュータ本体と入力装置としてのキーボードなどが収納された背面筐体部と、平面ディスプレイなどが収納された前面筐体部とをヒンジ部で結合し、前面筐体部を折り畳んで全体としてノート型としたものが一般的である。
【０００４】
近年は、これらのノートパソコンの軽量化、小型化が進展し、使用者がノートパソコンを携帯しながら立ったまま操作する場面が多くなっている。このような場合には、ノートパソコンの筐体部の端部を片手で保持しながら、もう一方の片手でキーボードなどを操作することになる。しかしながら、この構成ではノートパソコンを保持する片手に負担が掛かると共に、キーボードなどの操作を行う際にノートパソコンの保持が不安定なため入力操作をし難かった。
【０００５】
この課題は、ノートパソコンを片手でしっかり保持することで解決でき、背面筐体部の背面部にハンドストラップを設け、そのハンドストラップに片手を差し込んで保持を確実に行う例が開示されている（例えば、特許文献１、２参照）。
【０００６】
しかしながら、上記の特許文献１または特許文献２に記載の従来の構成では、ハンドストラップはその両端部をノートパソコンの背面筐体部に固定した単なる帯状のベルトであり、ノートパソコンを保持するための手の甲とハンドストラップとの接触面積が小さい。そのために、挿入した手によってノートパソコンをしっかりと保持することができずに、ノートパソコンが揺動したり滑り落ちたりする。また、キーボードのキーを押圧した場合にも不安定に揺動してキー入力が不確実になり易いといった課題を有していた。
【０００７】
また、片手でノートパソコンを保持し、他方の片手でノートパソコンのキーボードなどを操作する場合などには、キーボードへの入力操作やディスプレイの視認性から、保持する片手に対してノートパソコンを傾斜した状態で保持できる状態とすることが望ましい。しかしながら、特許文献１または特許文献２に記載の従来のハンドストラップの構成では、ノートパソコンに対して傾斜した状態で保持すると、ノートパソコンの保持が不安定になるといった課題を有していた。
【先行技術文献】
【特許文献】
【０００８】
【特許文献１】特開２０００−１０５６３０号公報
【特許文献２】特開２００７−１０２５３２号公報
【発明の概要】
【０００９】
本発明の情報処理装置は、背面筐体部と、背面筐体部と対向する前面筐体部と、背面筐体部の背面部に外部に突出して設けた凸部と、複数の固定部で背面筐体部に固定され、複数の固定部の間に設けられた貫通部を備えるベルトとを有し、貫通部は、凸部を覆い、凸部の頂部と対向する位置に備えている。また、上記情報処理装置の保持方法は、情報処理装置におけるベルトと凸部との間に使用者の片手の手のひらを挿入し、片手の手の甲の一部を貫通部から突出させ、片手の手のひらで凸部を包み込み握るように保持すると共に、手の甲と貫通部との接触面積を増加させ、片手と情報処理装置との密着を強固にする。
【００１０】
このような構成により、片手を背面筐体部とベルトの間に挿入すると、挿入した片手のひらが凸部に沿うことで、ベルトの押圧力で挿入した片手は疲労感なく背面筐体部を固定することができ、ノートパソコンの保持を確実に行うことができる。
【図面の簡単な説明】
【００１１】
【図１Ａ】本発明の実施の形態１における情報処理装置であるノートパソコンを下方の背面側から見た斜視図
【図１Ｂ】図１Ａの背面筐体部１３の長手方向に平行な線であるＡ−Ａ線断面図
【図２】本発明の実施の形態１における情報処理装置であるノートパソコンを片手で保持した状態を示す斜視図
【図３Ａ】本発明の実施の形態２における情報処理装置のノートパソコンを片手で保持した状態を示す斜視図
【図３Ｂ】図３Ａの背面筐体部の長手方向に平行な線であるＢ−Ｂ線断面図
【図４】本発明の実施の形態３における情報処理装置を前面側から見た斜視図
【図５】同情報処理装置を背面側から見た斜視図
【図６】図５のＣ−Ｃ線断面図
【図７】同情報処理装置の他の例を示す斜視図
【図８】本発明の実施の形態４における情報処理装置を前面側から見た斜視図
【図９】同情報処理装置の他の例を示す斜視図
【発明を実施するための形態】
【００１２】
以下、本発明の実施の形態について、図面を参照しながら説明する。
【００１３】
（実施の形態１）
図１Ａは本発明の実施の形態１における情報処理装置であるノートパソコンを下方の背面側から見た斜視図であり、図１Ｂは図１Ａの背面筐体部１３の長手方向に平行な線であるＡ−Ａ線断面図である。ノートパソコン本体１０は表示部である液晶ディスプレイ（不図示）などのディスプレイ装置が配置された前面筐体部１１と、前面筐体部１１に対向しキーボード１２などの入力装置が配置されＣＰＵやＨＤＤなどを内蔵した背面筐体部１３とにより構成されている。背面筐体部１３と前面筐体部１１とはヒンジ部１４によって折り畳み可能に構成される。図１Ａは前面筐体部１１を、前面筐体部１１に配置されたディスプレイ装置が視認可能なように開いた状態を示している。
【００１４】
一方、背面筐体部１３の背面部１５にはノートパソコン本体１０を支持するベルト（以下、ハンドストラップと呼ぶ）１６が設けられている。ハンドストラップ１６は固定部１７ａ、１７ｂ、１７ｃの３点で背面筐体部１３と固定された略Ｔ字形状のベルトであり、その略中央部に略円形の貫通部１８を設けた構成としている。ここで、略Ｔ字形状とは、ヒンジ部１４に平行で固定部１７ａと固定部１７ｂとを結ぶ線分に垂直な位置に、固定部１７ｃが設けられて構成されている状態を示している。
【００１５】
また、図１Ｂに示すように、背面部１５には略球面形状の凸部１９が設けられ、ハンドストラップ１６の貫通部１８が、その凸部１９の頂部１９ａの位置に対応して設けられている。なお、ハンドストラップ１６は、伸縮自在な硬質ゴムや、ポリブチレンテレフタレートやエラストマー性を有する素材などの弾性を備える樹脂などの素材によって構成されている。さらに、使用者の手の大きさや配置に対応でき、ハンドストラップ１６の固定部１７ａ、１７ｂ、１７ｃの位置を可変したり、ハンドストラップ１６を取り外したりすることができるように、固定部位置調整部２０が設けられている。また、固定部１７ａおよび１７ｂに係合するハンドストラップ１６の一対の固定端１６ａおよび１６ｂは、操作者の手の甲と摺動する摺動部１６ｄよりも肉厚になるように形成されている。
【００１６】
次に、本実施の形態において、ノートパソコン本体１０を片手で保持して使用する場合の保持方法について説明する。図２は本発明の実施の形態１における情報処理装置のノートパソコン本体１０を片手で保持した状態を示す斜視図である。
【００１７】
図２に示すように、ハンドストラップ１６とノートパソコン本体１０の背面部１５との間に片手２１を挿入し、片手２１の手のひらで球面形状の凸部１９を包み込んで握るように保持する。このとき、貫通部１８から片手２１の人差し指、中指あるいは薬指などの第３関節部２２が突出した状態となる。したがって、このような保持形態により、ノートパソコン本体１０の凸部１９と片手２１の手のひらとの接触面積、およびハンドストラップ１６と片手２１の手の甲との接触面積が増加することで、片手２１に対するノートパソコン本体１０の密着を強固にできる。さらに、ハンドストラップ１６と背面部１５との間に挿入した片手２１の凸部１９に対応する手の甲の一部は貫通部１８から外側に突出できる。そのため、片手２が圧迫されてしびれなどを発生することが緩和される。また、貫通部１８の輪郭と外側に露出する片手２１の手の甲との間の摩擦力によりノートパソコン本体１０を所望の方向に安定して支持することができる。さらに、余分な力を必要とせずにノートパソコン本体１０を保持することができる。
【００１８】
さらに、本実施の形態ではハンドストラップ１６を略Ｔ字形状としており、挿入した片手２１の向きに対してノートパソコン本体１０を４５度程度の傾斜角度で保持することができる。そのため、ノートパソコン本体１０を自然な状態で片手保持しながら操作者に対して正対させることができ、疲労感がない状態でキー入力などの操作性を向上させることができる。
【００１９】
また、ハンドストラップ１６を略Ｔ字形状とし、３点でノートパソコン本体１０の背面部１５に固定して、しかも略中央部に略円形の貫通部１８を備えている。そのため、保持するための片手２１を隣接する２点の固定部１７ｂ、１７ｃ間に挿入して片手の位置決めができる。さらに、貫通部１８から突出した片手２１の第３関節２２近傍の手の甲に貫通部１８の外周部を押し当てて片手の回転自由度を制限することもできる。また、ハンドストラップ１６を伸縮自在なゴムやエラストマーなどの素材によって構成しているために、その弾性力を利用して保持する片手２１と一体となってノートパソコン本体１０をさらに強固に保持することが可能となる。さらに、ハンドストラップ１６を左右対称なＴ字形状とすることで、左利き、右利き兼用にすることができる。さらに、略Ｔ字形状を有するハンドストラップ１６の隣接する固定部１７ｂと１７ｃ間に片手を挿入することにより、挿入した片手の手のひら上でノートパソコン本体１０の向きは略４５度程度の傾斜角度に設定でき、操作者が入力操作性およびディスプレイ装置の視認性を向上させることができる。
【００２０】
したがって、ノートパソコン本体１０を立った姿勢のままで使用する場合などには、片手でより強固に、さらに疲労感なくノートパソコン本体１０を保持することができるため、ノートパソコン本体１０を誤って落下させるなどの危険性も少なくなり、操作性および視認性を高めることができる。
【００２１】
また、図１Ｂに示すように、ハンドストラップ１６の一対の固定端１６ａおよび１６ｂを摺動部１６ｄの厚みよりも肉厚に構成すれば好ましい。かつ、一対の固定端１６ａおよび１６ｂの先端部と背面部１５との距離を、凸部１９の最も突出している頂部１９ａと背面部１５との距離以上としてもよい。すなわち、ハンドストラップ１６の摺動部１６ｄが弾性体であり、固定端１６ａ、１６ｂが同じ弾性体でも肉厚を厚く構成して剛性を有するようにしている。このようにすると、ノートパソコン本体１０を平坦な机上に置いて使用する場合には、ノートパソコン本体１０の後部、すなわち、図１のヒンジ部１４側が高くなってキーボード１２を傾斜させることができる。この構成により、キー入力の際に加わる押圧力は固定端１６ａおよび１６ｂにより吸収されるため、操作性を高めることができる。さらに、摺動部１６ｄの弾性によりノートパソコン本体１０を机上に載置する際の衝撃を吸収することができる。
【００２２】
このとき、固定部１７ｃと係合するハンドストラップ１６の固定端１６ｃは、例えば摺動部１６ｄと同等の肉厚とすると、キーボード１２の傾斜が確実になりより好ましい。このような構成によれば、固定端１６ａ、１６ｂおよび１６ｃが、ノートパソコン本体１０の足ゴムの役割も奏するため、ノートパソコン本体１０を平坦面に載置する際の衝撃をより緩和することもできる。
【００２３】
なお、固定部１７ａと固定部１７ｂの背面部１５からの高さを同一とし、その高さを凸部１９の頂部１９ａの高さよりも高い構成とし、固定部１７ａ、１７ｂに、ハンドストラップ１６よりも剛性の高い樹脂製や金属製の脚などを取り付けることでも、キーボード１２を傾斜させることができる。このとき、固定部１７ｃの背面部１５からの高さを、固定部１７ａおよび１７ｂの高さよりも低く構成することで、キーボード１２を傾斜させることができる。なお、固定部１７ａおよび１７ｂを弾性材料で構成すると、上述と同様に足ゴムとしての効果が得ることができる。
【００２４】
なお、本実施の形態における情報処理装置によれば、ノートパソコン本体１０の保持を片手２１の手のひらおよび手の甲で行うことができ、指部が自由に使える状態となる。そのため、保持する片手２１の開放されている指の指先を、図２に示すようにノートパソコン本体１０のヒンジ部１４を備える面に沿わせることで、ノートパソコン本体１０の保持安定性をより向上することができる。また指先で触れることができる位置に例えばキーボード１２上の補助キーと同じ機能を有する第２の補助キーなどを設けることで、その操作性をさらに向上させることができる。
【００２５】
以上のように、本実施の形態における情報処理装置によれば、ノートパソコン本体を片手で安定して保持できるとともに、片手でのキー入力操作などの操作性と視認性とを向上させることができる。
【００２６】
（実施の形態２）
図３Ａ、Ｂは本発明の実施の形態２を説明する図で、図３Ａは本発明の実施の形態２における情報処理装置のノートパソコンを片手で保持した状態を示す斜視図であり、図３Ｂは図３Ａの背面筐体部の長手方向に平行な線であるＢ−Ｂ線断面図である。図３Ａ、Ｂにおいて、図１Ａ、図１Ｂ，図２で用いた構成要素と同一の構成要素については同一の符号を付してその説明を省略する。
【００２７】
図３Ａに示すように、本実施の形態における情報処理装置であるノートパソコン本体１０１の基本構成は実施の形態１と同様であり、図３Ｂに示すように、背面筐体部１３の背面部１５には図１Ｂと同様の球面形状の凸部１９が設けられている。
【００２８】
本実施の形態ではハンドストラップ３０の構成が実施の形態１と異なる。すなわち、本実施の形態ではハンドストラップ３０は２点固定式のベルトであって、凸部１９の頂部１９ａに対応させて略楕円形の貫通部３１を有し、その両端が背面部１５に設けられた固定部３２ａ、３２ｂに固定されている。貫通部３１の形状は楕円形に限らず、ノートパソコン本体１０１を保持する片手２１の甲を突出させることができる形状や大きさであればよい。固定部３２ａ、３２ｂは使用者の片手２１の大きさ、支持する好みの角度に応じて調節できるように、その位置やハンドストラップ３０の長さが調整できる構成としている。また、実施の形態１と同様に、ハンドストラップ３０は伸縮自在な硬質ゴムや、ポリブチレンテレフタレートやエラストマー性を有する素材などの弾性を備える樹脂などの素材によって構成されている。
【００２９】
また、背面部１５に備える固定部３２ａ、３２ｂと係合するハンドストラップ３０の固定端３０ａ、３０ｂは、操作者の手の甲と摺動する摺動部３０ｃよりも肉厚に構成されている。また、背面部１５から固定端３０ａ、３０ｂの先端部までの高さが、凸部１９の頂部１９ａの背面部１５からの高さより大きくなるように構成している。
【００３０】
次に、本実施の形態におけるノートパソコン本体１０１を片手で保持して使用する場合の保持方法について説明する。ハンドストラップ３０とノートパソコン本体１０１の背面部１５との間に片手２１を挿入して、片手２１の手のひらで凸部１９を握るように凸部１９の外周に沿って保持し、貫通部３１に人差し指、中指および薬指の第３関節部２２を突出させてノートパソコン本体１０１を保持する。このような保持形態により、ノートパソコン本体１０１の凸部１９と片手２１の手のひらとの接触面積、およびハンドストラップ３０と片手２１の手の甲との接触面積が増加することで、片手２１に対するノートパソコン本体１０１の密着を強固にすることができる。さらに、ハンドストラップ３０と背面部１５との間に挿入した片手２１の凸部１９に対応する手の甲の一部を貫通部３１から外側に突出できるため、手が圧迫されて例えばしびれなどが発生することが緩和される。また、貫通部３１の輪郭と外側に露出する片手２１の手の甲との間の摩擦力によりノートパソコン本体１０１を所望の方向に安定して支持することができ、なおかつ、余分な力を必要とせずに保持することができる。
【００３１】
また、本実施の形態では、ハンドストラップ３０が２点固定式のベルトであるために、ベルトの占有面積が小さく、例えば液晶ディスプレイサイズが８．９インチ等のより小型の携帯型情報処理装置やゲーム機等に適応可能である。
【００３２】
なお、本実施の形態では、ハンドストラップ３０が２点固定式のベルト状であっても、手のひらを凸部１９の外周に沿って折り曲げながら押圧するとともに、貫通部３１から人差し指、中指および薬指を折り曲げた第３関節部２２が突出した状態になり、ノートパソコン本体１０１をしっかりと保持することができる。したがって、ノートパソコン本体１０１を立った姿勢のままで使用する場合などには、片手２１でより強固にノートパソコン本体１０１を保持することができるため、ノートパソコン本体１０１を誤って落下させるなどの危険性も少なくなる。
【００３３】
また、ノートパソコン本体１０１を平坦な机上に置いて使用する場合、ゴムやエラストマーなどからなるハンドストラップ３０の摺動部３０ｃが撓み、固定端３０ａ、３０ｂの先端部を机上の平坦面に当接させることができる。その結果、キーボード１２を傾斜させた状態で机上に載置してキー入力の操作性を高めることができるととともに、実施形態１と同様に、固定端３０ａ、３０ｂが足ゴムとしての機能も実現できる。
【００３４】
さらに、本発明の実施の形態２ではハンドストラップ３０に貫通部３１を設けて片手２１の第３関節部２２が貫通部３１に入り込むようにしている。そのため、片手２１をノートパソコン本体１０１に対して例えば４５度程度の傾斜角度で保持しても安定に保持することができる。そのため、ノートパソコン本体１０１を操作者に対して正対するように自然な状態で片手保持し、キー入力などの操作性やディスプレイの視認性を向上させることができる。
【００３５】
なお、本実施の形態における情報処理装置によれば、ノートパソコン本体１０１の保持を、手のひらおよび手の甲で行うことができ、指部が自由に使える状態となる。そのため、保持する片手の開放されている指の指先を、図３Ａに示すようにノートパソコン本体１０１のヒンジ部１４（図１参照）を備える面に沿わせることで、ノートパソコン本体１０１の保持安定性をより向上することができる。また指先で触れることができる位置にキーボード１２上の補助キーと同じ機能を有する第２の補助キーを設けても、その操作性をさらに向上させることができる。
【００３６】
（実施の形態３）
実施の形態１および２では、ディスプレイ装置を配する前面筐体部１１と入力装置を配する背面筐体部１３とがヒンジ部１４で回動自在に軸支されている情報処理装置について説明した。次にディスプレイ装置と入力装置とが同一筐体に収納される情報処理装置に関する実施の形態について説明する。図４は本発明の実施の形態３における情報処理装置を前面側から見た斜視図であり、図５は同情報処理装置を背面側から見た斜視図、図６は図５におけるＣ−Ｃ線断面図である。
【００３７】
図４、図５、図６に示すように、本実施の形態における情報処理装置は前面側に表示部としてのディスプレイ部５３と、操作ボタン５５とを備え、例えば携帯型ナビゲーションシステム（以下、ＮＡＶＩと称す）、パーソナルディジタルアシスタント（以下、ＰＤＡと称す）、ゲーム機などである。本実施の形態ではＮＡＶＩを例に挙げ説明する。ＮＡＶＩ５０は、樹脂などを成型加工した前面筐体部５１と背面筐体部５２とにより構成されている。図４に示すように、前面筐体部５１には視認情報を表示する表示部である液晶ディスプレイなどのディスプレイ部５３と、表示画面のメニュー選択などをする視認情報を制御する制御ボタンである操作ボタン５５などが配置され、前面側でＮＡＶＩ５０の全ての操作が可能なように構成されている。
【００３８】
また、図５に示すように、成型加工された背面筐体部５２は、略矩形形状の低面部５６と、低面部５６に連設した低面部５６よりも厚みの大きい高面部５７とを有し、低面部５６と高面部５７との境界は傾斜面の段差部５８を有するように構成されている。また、厚みの大きい高面部５７の内部空間には、ＮＡＶＩ５０の例えば電源としての電池などを内蔵することができ、この場合、背面筐体部５２の側面には電池交換用の蓋部５９や、例えばＵＳＢなどの外部機器との接続端子なども必要に応じて設けている。さらに、高面部５７の略中央部には球面形状の凸部６０が設けられ、凸部６０はその裾の一部が段差部５８を横断し低面部５６の方向に突出するように構成されている。
【００３９】
さらに、凸部６０を覆い凸部６０の頂部６０ａと対向する位置に貫通部６１を有するハンドストラップ６２が設けられている。ハンドストラップ６２の両端部は、固定部６３ａ、６３ｂによって背面筐体部５２に固定されている。
【００４０】
また、固定部６３ａ、６３ｂはその位置調整が可能でハンドストラップ６２の長さが調整可能なように構成されている。さらに、実施の形態１、実施の形態２と同様に、ハンドストラップ６２は伸縮自在なゴムやポリブチレンテレフタレートやエラストマー性を有する素材などの弾性を備える樹脂などで構成されている。
【００４１】
さらに、図６に示すように、例えばハンドストラップ６２の固定端６２ａ、６２ｂをそれぞれハンドストラップ６２の手の甲が摺動する摺動部６２ｃの肉厚よりも厚く成形している。また、固定端６２ａ、６２ｂの高面部５７からの高さを同一として、凸部６０の頂部６０ａの高面部５７からの高さよりも高くしている。このような場合には、ＮＡＶＩ５０を平坦な机上に置いて使用する場合、ハンドストラップ６２の摺動部６２ｃは固定端６２ａ、６２ｂに比べて肉厚が薄いためＮＡＶＩ５０の質量で弾性変形し、摺動部６２ｃは平坦化される。一方、固定端６２ａ、６２ｂは摺動部６２ｃよりも厚肉で成形されているため剛性を有し、なおかつ、固定端６２ａ、６２ｂの高面部５７からの高さが凸部６０の頂部６０ａの高さ以上である。そのため、ＮＡＶＩ５０を傾斜して机上に安定して載置することができる。また、固定端６２ａおよび６２ｂを、図５に示したように高面部５７から低面部５６にかけて低くなるような傾斜を持たせると、さらに、ＮＡＶＩ５０を傾斜して机上に安定して載置することができる。したがって、ＮＡＶＩ５０を机上に載置した場合には、ディスプレイ部５３が傾斜して視認性を高め、操作ボタン５５の操作性を高めることができる。
【００４２】
なお、固定端６２ａおよび６２ｂを摺動部６２ｃと同様の弾性を有する素材で構成すると、固定端６２ａ、６２ｂがＮＡＶＩ５０の足ゴムとしての機能を発揮する。すなわち、机上などの平坦な面に背面筐体部５２を載置する際や、ディスプレイ部５３に接触操作する際や、操作ボタン５５を押下する際等にＮＡＶＩ５０に印加される衝撃を緩和して操作性をさらに向上させることができる。
【００４３】
次に、本実施の形態におけるＮＡＶＩ５０を片手で保持して使用する場合の保持方法について説明する。ハンドストラップ６２とＮＡＶＩ５０の背面筐体部５２との間に片手を挿入し、片手のひらで凸部６０の外周に沿って握るように、かつ、人差し指、中指および薬指の第３関節部を貫通部６１から突出させるようにしてＮＡＶＩ５０を保持する。このような保持形態によりＮＡＶＩ５０の凸部６０とＮＡＶＩ５０を支持する片手（図３Ａ参照）の手のひらとの接触面積、およびハンドストラップ６２と片手の手の甲との接触面積が増大する。そのため、支持する片手に対するＮＡＶＩ５０の密着を強固にすることができる。さらに、ハンドストラップ６２と背面筐体部５２との間に挿入した片手における凸部６０に対応する手の甲を貫通部６１から突出できるため、手が圧迫されて例えばしびれなどが発生することが緩和される。また、貫通部６１の輪郭と外側に露出する片手の手の甲との間に摩擦力が生じ、この摩擦力によりＮＡＶＩ５０を所望の方向に安定して支持することができる。なおかつ、余分な力を必要とせずにＮＡＶＩ５０を保持することができる。
【００４４】
本実施の形態では、ハンドストラップ６２が２点固定式のベルトであるために、ベルトの占有面積が小さく、より小型のＮＡＶＩやゲーム機などに特に適応可能である。
【００４５】
なお、ハンドストラップ６２が単に一本のベルト状であっても、手のひらを凸部６０の外周に沿って折り曲げながら押圧するとともに、貫通部６１から人差し指、中指あるいは薬指を折り曲げた第３関節部が突出した状態になり、ＮＡＶＩ５０が滑り落ちる危険性が少なくなる。したがって、ＮＡＶＩ５０を立った姿勢のままで使用する場合などには、片手でより強固かつ安定にＮＡＶＩ５０を保持することができ、ＮＡＶＩ５０を誤って落下させるなどの危険性も少なくなる。
【００４６】
また、ＮＡＶＩ５０の保持を、片手の手のひらおよび手の甲で行うことができ、指部が自由に使える状態となる。そのため、保持する片手の開放されている指の指先を、例えば図３Ａと同様に背面筐体５２の上側端面に沿わせることで、ＮＡＶＩ５０の保持安定性をより向上することができる。また指先で触れることができる側面部などに補助ボタンを設け、さらにＮＡＶＩ５０の操作性をさらに向上させることができる。
【００４７】
さらに、本実施の形態ではハンドストラップ６２に貫通部６１を設けて片手の第３関節部が貫通部６１に入り込むようにしている。そのため、片手をＮＡＶＩ５０に対して任意の角度（例えば４５度）で傾斜させても安定して保持することができる。また、ＮＡＶＩ５０を操作者に対して正対させた自然な状態で保持してキー入力などの操作性およびディスプレイ部５３の視認性を向上させることができる。
【００４８】
また、本実施の形態では、背面筐体部５２の背面部が、略矩形形状の低面部５６と、低面部５６に連設する高面部５７と、低面部５６および高面部５７の境界に傾斜面で段差部５８とを備える。さらに高面部５７上に設けた凸部６０の裾の一部が段差部５８を横断し低面部５６の方向に突出した構成としている。そのために、挿入した片手のひらを凸部６０に沿って折り曲げる際に、低面部５６に手の第３関節から手首まで沿わせる形状とすることができ、保持する手のひらに対して直交する方向の角度の自由度を向上させ疲労感をなお一層低減することができる。
【００４９】
図７は本発明の実施の形態におけるＮＡＶＩ５０の他の例を示す斜視図である。図７に示すＮＡＶＩ５０１は図４に示すＮＡＶＩ５０と同じであるが、ＮＡＶＩ５０１は、上部、すなわちディスプレイ部５３の上部に、空間部６５を介して握り部６６を備える把手６４を設けている。把手６４を設けることによってＮＡＶＩ５０１の持ち運びや、ハンドストラップ６２によるＮＡＶＩ５０１を支持する状態からＮＡＶＩ５０１を机上に載置する状態への移行等が便利になるものである。また、前述のように背面筐体部５２を片手で保持した際に、保持した片手の指部を空間部６５に挿入してさらに安定して保持することが可能となる。
【００５０】
以上のように、本実施の形態におけるＮＡＶＩ５０およびＮＡＶＩ５０１によれば、ハンドストラップ６２と背面筐体部５２との間に挿入した片手で安定して保持できるとともに、他方の片手での操作ボタン５５による操作などの操作性とディスプレイ部５３の視認性とを向上させることができる。
【００５１】
（実施の形態４）
実施の形態３ではディスプレイ装置５３と操作ボタン５５とを同一筐体における同一面に配置したＮＡＶＩで説明した。次に、キーボードもディスクレイ装置と同一面に有するＰＤＡについて説明する。図８は本発明の実施の形態４におけるＰＤＡ８０を前面側から見た斜視図であり、図９はＰＤＡ８０の他の例のＰＤＡ８０１を示す斜視図である。図８、図９に示すように、本実施の形態におけるＰＤＡ８０および８０１は前面側に表示部としてのディスプレイ部８３と、キーボード８４と操作ボタン８５とを備える。
【００５２】
図８に示すように、ＰＤＡ８０は樹脂などを成型加工した前面筐体部８１と背面筐体部８２とにより構成されている。前面筐体部８１には液晶ディスプレイなどのディスプレイ部８３と、入力機能を有するキーボード８４と、表示画面のメニュー選択などをして視認情報を制御する操作ボタン８５などが配置され、前面側でＰＤＡ８０の全ての操作が可能なように構成されている。また、図９においては、図８と同一の構成に加えて、ＰＤＡ８０の上部、すなわちディスプレイ部８３の上部に把手８６を設けている。把手８６は空間部８７を有した握り部８８を有している。
【００５３】
なお、本実施の形態におけるＰＤＡ８０の背面筐体部８２の構成は、実施の形態３で述べた図５、図６に示す構成と同じであり、図５、図６を用いて背面筐体部８２の構成について説明する。
【００５４】
すなわち、背面筐体部８２の背面部が、略矩形形状の低面部５６と、低面部５６に連設する高面部５７と、低面部５６および高面部５７の境界の段差部５８とを備えている。また、厚みの大きい高面部５７の内部空間には、ＰＤＡ８０の例えば電源としての電池が内蔵することができ、この場合、背面筐体部５２の側面には電池交換用の蓋部８９や、ＵＳＢなどの外部機器との接続端子などを設けている。さらに、高面部５７の略中央部には球面形状の凸部６０が設けられ、凸部６０はその裾の一部が段差部５８を横断し低面部５６の方向に突出するように構成されている。
【００５５】
さらに、凸部６０を覆い凸部６０の頂部と対向する位置に貫通部６１を有するハンドストラップ６２が設けられている。ハンドストラップ６２の両端部は、固定部６３ａ、６３ｂによって背面筐体部５２に固定されている。
【００５６】
また、固定部６３ａ、６３ｂはその位置調整が可能でハンドストラップ６２の長さが調整可能なように構成されている。さらに、ハンドストラップ６２は伸縮自在なゴムやポリブチレンテレフタレートやエラストマー性を有する素材などの弾性を備える樹脂などで構成されている。
【００５７】
さらに、図６に示すように、例えばハンドストラップ６２の固定端６２ａ、６２ｂをそれぞれハンドストラップ６２の手の甲が摺動する摺動部６２ｃの肉厚よりも厚く成形し、かつ、固定端６２ａ、６２ｂの高面部５７からの高さを同一として、凸部６０の頂部６０ａの高面部５７からの高さよりも高くしている。このような場合には、ＰＤＡ８０を平坦な机上に置いて使用する場合には、ハンドストラップ６２の摺動部６２ｃは固定端６２ａおよび６２ｂに比べて肉厚が薄いためＰＤＡ８０の質量で弾性変形し、平坦な面上にＰＤＡ８０を載置すると摺動部６２ｃは平坦化される。一方、固定端６２ａおよび６２ｂは摺動部６２ｃよりも厚肉に成形されているため剛性を有し、なおかつ、固定端６２ａ、６２ｂの高面部５７からの高さが凸部６０の頂部６０ａの高さ以上であるために、ＰＤＡ８０を傾斜させて机上に安定して載置することができる。そのため、ディスプレイ部８３が傾斜して視認性を高め、キーボード８４や操作ボタン８５の操作性を高めることができる。
【００５８】
さらに、このような構成とすることで、固定端６２ａ、６２ｂがＰＤＡ８０の足ゴムとしての機能を発揮し、机上にＰＤＡ８０を載置する場合、ディスプレイ部８３に接触操作する場合、キーボード８４や操作ボタン８５を押下する場合などには、載置動作および／または操作動作などの衝撃を吸収して安定性および／または操作性を向上させることができる。
【００５９】
次に、本実施の形態におけるＰＤＡ８０を片手で保持して使用する場合の保持方法について説明する。ハンドストラップ６２とＰＤＡ８０の背面筐体部８２との間に片手を挿入し、片手のひらで凸部６０の外周に沿って握り、かつ、人差し指、中指および薬指の第３関節部を貫通部６１から突出させてＰＤＡ８０を保持する。このような保持形態によりＰＤＡ８０の凸部６０とＰＤＡ８０を支持する片手（図３Ａ参照）の手のひらとの接触面積、およびハンドストラップ６２と片手の手の甲との接触面積が増大することで、支持する片手に対するＰＤＡ８０の密着を強固にすることができる。さらに、ハンドストラップ６２と背面筐体部８２との間に挿入した片手における凸部６０に対応する手の甲を貫通部６１から突出できるため、手が圧迫されて例えばしびれなどが発生することが緩和されると共に、貫通部６１の輪郭と外側に露出する片手の手の甲との間に摩擦力が生じ、この摩擦力によりＰＤＡ８０を所望の方向に安定して支持することができ、なおかつ、余分な力を必要とせずにＰＤＡ８０を保持することができる。
【００６０】
本実施の形態では、ハンドストラップ６２が２点固定式のベルトであるために、ベルトの占有面積が小さく、より小型のＰＤＡやゲーム機などに特に適応可能である。
【００６１】
なお、本実施の形態ではハンドストラップ６２を単に一本のベルト状としている。しかしながら、ＰＤＡ８０とハンドストラップ６２との間に挿入した片手で保持する際には、手のひらを凸部６０の外周に沿って折り曲げながら押圧するとともに、貫通部６１から人差し指、中指および薬指を折り曲げた第３関節部が突出した状態になり、ＰＤＡ８０が滑り落ちる危険性が少なくなる。したがって、ＰＤＡ８０を立った姿勢のままで使用する場合などには、片手でより強固かつ安定にＰＤＡ８０を保持することができるため、ＰＤＡ８０を誤って落下させるなどの危険性も少なくなる。
【００６２】
また、ＰＤＡ８０の保持を、片手の手のひらおよび手の甲で行うことができ、指部が自由に使える状態となる。そのため、保持する片手の開放されている指の指先を、例えば図３Ａと同様に背面筐体５２の上側端面に沿わせることで、ＰＤＡ８０の保持安定性をより向上することができ、また指先で触れることができる補助ボタンを設け、ＰＤＡ８０の操作性をさらに向上させることができる。
【００６３】
さらに、本実施の形態ではハンドストラップ６２に貫通部６１を設けて片手の第３関節部が貫通部６１に入り込むようにしている。そのため、片手をＰＤＡ８０に対して任意の角度（例えば４５度）で傾斜させても安定して保持することができ、ＰＤＡ８０を操作者に対して正対させた自然な状態で保持してキー入力などの操作性およびディスプレイ部８３の視認性を向上させることができる。
【００６４】
また、本実施の形態では、背面筐体部５２の背面部が、略矩形形状の低面部５６と、低面部５６に連設する高面部５７と、低面部５６および高面部５７の境界に傾斜面で段差部５８とを備えるようにし、さらに凸部６０の裾の一部が段差部５８を横断し低面部５６の方向に突出した構成としている。そのために、挿入した片手のひらを凸部６０に沿って折り曲げる際に、低面部５６に手の第３関節から手首まで沿わせることができる。そのため、保持する手のひらに対して直交する方向の角度の自由度を向上させ、なおかつ疲労感をなお一層低減することができる。
【００６５】
以上のように、本実施の形態における情報処理装置であるＰＤＡ８０によれば、ハンドストラップ６２と背面筐体部８２との間に挿入した片手で安定して保持できるとともに、他方の片手での操作ボタン８５の操作などの操作性とディスプレイ部８３の視認性とを向上させることができる。また、キーボード８４からの入力に際してもディスプレイ部８３とキーボード８４とを楽な姿勢で視認し、操作することができる。
【００６６】
図９は本実施の形態４におけるＰＤＡ８０の他の例を示す斜視図である。図９に示すＰＤＡ８０１は図８に示すＰＤＡ８０と基本構成は同じであるが、ＰＤＡ８０１は、上部、すなわちディスプレイ部８３の上部に、空間部８７を介して握り部８８を備える把手８６を設けている。把手８６を設けることによってＰＤＡ８０１の持ち運びや、ハンドストラップ６２によるＰＤＡ８０１を支持する状態からＰＤＡ８０１を机上に載置する状態への移行等が便利になるものである。また、前述のように背面筐体部８２を片手で保持した際に、保持する片手の指部を空間部８７に挿入してさらに安定して保持することが可能となる。
【００６７】
このように、本実施の形態におけるＰＤＡ８０１によれば、ハンドストラップ６２と背面筐体部８２との間に挿入した片手で安定して保持できるとともに、他方の片手でのキーボード８４からの入力操作や操作ボタン８５の操作などを安定に操作性を高め、ディスプレイ部８３の視認性とを向上させることができる。
【００６８】
なお、ディスプレイ部と、ディスプレイ部に表示する表示信号を制御する制御部であるキーボードや操作ボタンとを、前面筐体部に配置した実施の形態３および４の構成では、ＮＡＶＩやＰＤＡ以外にも、例えばゲーム機や、在庫管理または看護士などが患者の看護に用いる携帯端末などにも適用可能である。また、制御部は制御ボタンに限らず、表示面を手などで触れるタッチパネルにも適用することができる。
【産業上の利用可能性】
【００６９】
本発明による情報処理装置によれば、片手で強固に安定して保持し、キー入力操作などの操作性を向上させた情報処理装置を実現することができるため、携帯型情報処理装置などに特に有用である。
【符号の説明】
【００７０】
１０，１０１    ノートパソコン本体
１１，５１，８１    前面筐体部
１２，８４    キーボード
１３，５２，８２    背面筐体部
１４    ヒンジ部
１５    背面部
１６，３０，６２    ベルト（ハンドストラップ）
１６ａ，１６ｂ，１６ｃ，３０ａ，３０ｂ，６２ａ，６２ｂ    固定端
１６ｄ，３０ｃ，６２ｃ    摺動部
１７ａ，１７ｂ，１７ｃ，３２ａ，３２ｂ，６３ａ，６３ｂ    固定部
１８，３１，６１    貫通部
１９，６０    凸部
１９ａ，６０ａ    頂部
２０    固定部位置調整部
２１    片手
２２    第３関節部
５０，５０１    ＮＡＶＩ
５３，８３    ディスプレイ部
５５，８５    操作ボタン
５６    低面部
５７    高面部
５８    段差部
５９，８９    蓋部
６４，８６    把手
６５，８７    空間部
６６，８８    握り部
８０，８０１    ＰＤＡ
【国際調査報告】
2009101800.tif 000025
2009101800.tif 000026
2009101800.tif 000027
2009101800.tif 000028